(57)【特許請求の範囲】
【請求項１】
端末機が、複数個のシグネーチャ（ＡＰ＃ｓ）中何れか１つを利用して生成されたプリアンブル・シグネチャ・コード（Ｃsig,s）と、該当セルに許容されたｘ個の第１アップリンクの物理的チャンネル（ＰＲＡＣＨ）プリアンブリング・スクランブリング・コード（ＳＣ＃ｍ）中何れか１つの第１アップリンクの物理的チャンネルのプリアンブリング・スクランブリング・コード（ＳＣ＃ｉ）を利用して生成された第１アップリンクの物理的チャンネル・アクセス・プリアンブリング・コード（Ｃpre,n,s）と、をアクセス・プリアンブル（ＡＰ）に載せて、第１アップリンクのチャンネル（ＲＡＣＨ）を介して基地局に伝送する段階と、
前記端末機が、前記受信されたＡＰに含まれたシグネーチャ及び第１アップリンクの物理的チャンネル・スクランブリング・コードの種類を解読して、前記シグネーチャの使用可否を通知するＡＩを生成した基地局から第１ダウンリンクのチャンネル（ＡＩＣＨ＃ｍ）を介して前記ＡＩを受信する段階と、
前記端末機が、前記承認されたシグネーチャにより決定されるチャンネル化コード及び前記第１アップリンクの物理的チャンネル・メッセージ部分スクランブリング・コード（ＭＳＣ＃ｍ）を利用して、前記基地局にメッセージを伝送する段階と、を含むことを特徴とする移動通信システムの通信方法。
【請求項２】
前記第１アップリンクのチャンネルはＲＡＣＨ＃ｍで、
前記第１アップリンクの物理的チャンネルはＰＲＡＣ＃ｍＨで、
前記第１ダウンリンクチャンネルはＡＩＣＨ＃ｍ及び／またはＲＲＩＣＨ＃ｍであることを特徴とする請求項１記載の移動通信システムの通信方法。
【請求項３】
端末機が、複数個のシグネーチャ（ＡＰ＃ｓ）中何れか１つを利用して生成されたプリアンブル・シグネチャ・コード（Ｃsig,s）と、該当セルに許容されたｘ個のＰＲＡＣＨプリアンブリング・スクランブリング・コード（ＳＣ＃ｍ）中何れか１つのＰＲＡＣＨプリアンブリング・スクランブリング・コード（ＳＣ＃ｉ）を利用して生成されたＰＲＡＣＨアクセス・プリアンブリング・コード（Ｃpre,n,s）と、をアクセス・プリアンブル（ＡＰ）に載せて、ＲＡＣＨを介して基地局に伝送する段階と、
前記端末機が、前記受信されたＡＰに含まれたシグネーチャ及び前記ＰＲＡＣＨスクランブリング・コードの種類を解読して、前記シグネーチャの使用可否を通知するＡＩを生成した基地局から、ＡＩＣＨ＃ｍを介して前記ＡＩを受信する段階と、
前記端末機が、前記承認されたシグネーチャにより決定されるチャンネル化コード及び前記ＰＲＡＣＨメッセージ部分スクランブリング・コード（ＭＳＣ＃ｍ）を利用して、前記基地局にメッセージを伝送する段階と、を含むことを特徴とする移動通信システムの通信方法。
【請求項４】
前記複数個のシグネーチャは、１６個であることを特徴とする請求項３記載の移動通信システムの通信方法。
【請求項５】
前記ｘ個は、任意に決定されることを特徴とする請求項３記載の移動通信システムの通信方法。
【請求項６】
前記ｘ個は、２以上１６以下であることを特徴とする請求項３記載の移動通信システムの通信方法。
【請求項７】
前記複数個のシグネーチャ（ＡＰ＃ｓ）及び前記ｘ個のＰＲＡＣＨプリアンブリング・スクランブリング・コード（ＳＣ＃ｍ）は、端末機及び基地局のプロトコルの上位レイヤーに与えられたアクセス・サービス・クラス（ＡＳＣ）により決定されることを特徴とする請求項３記載の移動通信システムの通信方法。
【請求項８】
前記上位レイヤーは、各ＡＳＣに対して定義されて使用可能な、各シグネーチャ、ＲＡＣＨコード・チャンネル・グループ及び該ＲＡＣＨコード・チャンネル・グループ内の各ＲＡＣＨコード・チャンネルに関するＲＡＣＨサブチャンネル・グループのような事項に対する情報を有することを特徴とする請求項７記載の移動通信システムの通信方法。
【請求項９】
前記ＲＡＣＨコード・チャンネル・グループは、前記ｘ個のＲＡＣＨコード・チャンネル中、所定個数により構成される集合であることを特徴とする請求項８記載の移動通信システムの通信方法。
【請求項１０】
前記ＲＡＣＨサブチャンネル・グループは、１２個のＲＡＣＨサブチャンネル中、所定個数により構成される集合であることを特徴とする請求項８記載の移動通信システムの通信方法。
【請求項１１】
前記ＲＡＣＨは、自分に属する各サブチャンネル及びそれらサブチャンネルに該当する各スロットがそれぞれ定義され、前記各定義は、前記ＲＡＣＨコード・チャンネルによって同様であるか、または、相異することを特徴とする請求項３記載の移動通信システムの通信方法。
【請求項１２】
前記各ＲＡＣＨコード・チャンネルは、前記ＰＲＡＣＨプリアンブリング・スクランブリング・コードと１：１に対応することを特徴とする請求項３記載の移動通信システムの通信方法。
【請求項１３】
前記ＡＩＣＨ＃ｍは、同様のダウンリンク・スクランブリング・コード及び相異するＯＶＳＦコードを利用することを特徴とする請求項３記載の移動通信システムの通信方法。
【請求項１４】
前記ＰＲＡＣＨメッセージ部分スクランブリング・コード（ＭＳＣ＃ｍ）は、前記ＰＲＡＣＨプリアンブリング・スクランブリング・コードと１：１の対応関係であることを特徴とする請求項３記載の移動通信システムの通信方法。
【請求項１５】
前記ＡＩＣＨ＃ｍの構造は、各アクセス・スロットがｘ個の単位で反復されることを特徴とする請求項３記載の移動通信システムの通信方法。
【請求項１６】
前記一つのアクセス・スロットは、ＡＩ部分と、伝送されない部分と、により構成されることを特徴とする請求項１５記載の移動通信システムの通信方法。
【請求項１７】
前記ＡＩ部分に含まれた各ビット（ａjm）は、
【数１】
0004669144.tif 000018
により決定され、ここで、前記ＡＩsmは、端末機がＡＰに載せて伝送したシグネーチャＡＰ＃ｓに対するＡｃｑｕｉｓｉｔｉｏｎ  Ｉｎｄｉｃａｔｏｒ（ＡＩ）を示して、｛＋１、−１、０｝中何れか一つの値を有し、前記ｂsjは、シグネーチャパターン数を示すことを特徴とする請求項１６記載の移動通信システムの通信方法。
【請求項１８】
前記ＡＩＣＨ＃ｍは、前記ＲＡＣＨの再使用因子が考慮されたＲＲＩＣＨ＃ｍをさらに含むことを特徴とする請求項３記載の移動通信システムの通信方法。
【請求項１９】
前記ＲＲＩＣＨ＃ｍは、前記ＲＡＣＨ＃ｍのために使用されるＡＩＣＨ＃ｍにおいて、一つのアクセス・スロット内で伝送が中断される時間を利用することを特徴とする請求項１８記載の移動通信システムの通信方法。
【請求項２０】
前記ＲＲＩＣＨ＃ｍの構造は、各アクセス・スロットがｘ個の単位で反復されることを特徴とする請求項１８記載の移動通信システムの通信方法。
【請求項２１】
前記一つのアクセス・スロットは、伝送されないビット部分と、再使用可否を示すビット部分（ＲＩ）と、により構成されることを特徴とする請求項２０記載の移動通信システムの通信方法。
【請求項２２】
前記ＲＩ部分は、前記ＲＲＩＣＨ＃ｍがＰＲＡＣＨプリアンブリング・スクランブリング・コードの承認可否を通知するために使用されると、前記ＲＩ部分に含まれた各ビットを多様にマッピングし得ることを特徴とする請求項２０記載の移動通信システムの通信方法。
【請求項２３】
前記ＲＩ部分の各ビット（ｂki）は、
【数２】
0004669144.tif 000019
により決定され、ここで、前記ＲＩmは、ＰＲＡＣＨプリアンブリング・スクランブリング・コード（ＳＣ＃ｍ）に対する認証を示して、｛＋１、−１、０｝中何れか一つの値を有することを特徴とする請求項２０記載の移動通信システムの通信方法。
【請求項２４】
再使用因子を考慮したＡＩＣＨ＃ｍの構造は、使用されたシグネーチャの承認可否を通知するＡＩ部分及び使用されたＰＲＡＣＨプリアンブリング・スクランブリング・コードの承認可否を通知するＲＩ部分と、伝送されない部分と、により構成されることを特徴とする請求項１８記載の移動通信システムの通信方法。
【請求項２５】
前記ＡＩ部分に含まれた各ビット（ａj）は、
【数３】
0004669144.tif 000020
により決定され、ここで、前記ＡＩsは、使用されたシグネーチャＡＰ＃ｓに対するＡＩを示して｛＋１、−１、０｝中何れか一つの値を有し、前記ｃs、jは、係数を示すことを特徴とする請求項２４記載の移動通信システムの通信方法。
【請求項２６】
前記ＲＩ部分に含まれた各ビット（ｂj）は、
【数４】
0004669144.tif 000021
により決定され、ここで、前記ＲＩmは、使用されたＰＲＡＣＨプリアンブリング・スクランブリング・コード（ＳＣ＃ｍ）に対する認証を示して｛＋１、−１、０｝中何れか一つの値を有し、前記Ｃm、jは、係数を示すことを特徴とする請求項２４記載の移動通信システムの通信方法。
【請求項２７】
前記ＲＲＩＣＨ＃ｍは、前記基地局が前記端末機に一つのフレーム当たり、または、各アクセス・スロット当たりに伝送し得ることを特徴とする請求項１８記載の移動通信システムの通信方法。
【請求項２８】
端末機が、複数個のシグネーチャ（ＡＰ＃ｓ）中何れか１つを利用して生成されたプリアンブル・シグネチャ・コード（Ｃa-acc,s）と、該当セルに許容されたｙ個の第２アップリンクの物理的チャンネル（ＰＣＰＣＨ−ＣＤ）プリアンブリング・スクランブリング・コード（ＣＤＳＣ＃ｍ）中何れか１つの第２アップリンクの物理的チャンネル（ＰＣＰＣＨ−ＣＤ）プリアンブリング・スクランブリング・コード（ＣＤＳＣ＃ｉ）を利用して生成された第２アップリンクの物理的チャンネル（ＰＣＰＣＨ−ＣＤ）アクセス・プリアンブリング・コード（Ｃc-cd,n,s）と、を衝突検出プリアンブル（ＣＤ）に載せて、第１アップリンクのチャンネル（ＣＰＣＨ）を介して基地局に伝送する段階と、
前記端末機が、衝突可否を検出するためのＣＤに対して衝突可否を通知するＡＩを生成した基地局から第２ダウンリンクのチャンネル（ＣＤ−ＡＩＣＨ＃ｍ）を介して前記ＡＩを受信する段階と、を含むことを特徴とする請求項１記載の移動通信システムの通信方法。
【請求項２９】
前記第１アップリンクはＣＰＣＨで、
前記第１アップリンク物理的チャンネルはＰＣＰＣＨで、
前記第１ダウンリンクはＡＰ−ＡＩＣＨ＃ｍで、
前記第２ダウンリンクはＣＤ−ＡＩＣＨ＃ｍであることを特徴とする請求項２８記載の移動通信システムの通信方法。
【請求項３０】
端末機が、複数個のシグネーチャ（ＡＰ＃ｓ）中何れか１つを利用して生成されたプリアンブル・シグネチャ・コード（Ｃsig,s）と、該当セルに許容されたｘ個のＰＣＰＣＨプリアンブリング・スクランブリング・コード（ＡＰＳＣ＃ｍ）中何れか１つのＰＣＰＣＨプリアンブリング・スクランブリング・コード（ＡＰＳＣ＃ｉ）を利用して生成されたＰＣＰＣＨアクセス・プリアンブリング・コード（Ｃpre,n,s）と、をアクセス・プリアンブル（ＡＰ）に載せて、ＣＰＣＨを介して基地局に伝送する段階と、
前記端末機が、前記受信されたＡＰに含まれたシグネーチャ及びＰＣＰＣＨスクランブリング・コードの種類を解読して前記シグネーチャの使用可否を通知するＡＩを生成した基地局からＡＰ−ＡＩＣＨ＃ｍを介して前記ＡＩを受信する段階と、
前記端末機が、複数個のシグネーチャ（ＡＰ＃ｓ）中何れか１つを利用して生成されたプリアンブル・シグネチャ・コード（Ｃa-acc,s）と、該当セルに許容されたｙ個のＰＣＰＣＨ−ＣＤプリアンブリング・スクランブリング・コード（ＣＤＳＣ＃ｍ）中何れか１つのＰＣＰＣＨ−ＣＤプリアンブリング・スクランブリング・コード（ＣＤＳＣ＃ｉ）を利用して生成されたＰＣＰＣＨ−ＣＤアクセス・プリアンブリング・コード（Ｃc-cd,n,s）と、を衝突検出プリアンブル（ＣＤ）に載せて、ＣＰＣＨを介して基地局に伝送する段階と、
前記端末機が、衝突可否を検出するためのＣＤに対して衝突可否を通知するＡＩを生成した基地局からＣＤ−ＡＩＣＨ＃ｍを介して前記ＡＩを受信する段階と、
前記端末機が、前記承認されたシグネーチャにより決定されるチャンネル化コード及び前記ＰＲＡＣＨメッセージ部分スクランブリング・コード（ＭＳＣ＃ｍ）を利用して、前記基地局にメッセージを伝送する段階と、を含むことを特徴とする移動通信システムの通信方法。
【請求項３１】
前記ＰＣＰＣＨアクセス・プリアンブリング・スクランブリング・コードは、前記ＡＰ−ＡＩＣＨ＃ｍと１：１の対応関係で、前記ＰＣＰＣＨ  ＣＤアクセス・プリアンブリング・スクランブリング・コードは、前記ＣＤ−ＡＩＣＨ＃ｍと１：１の対応関係であることを特徴とする請求項３０記載の移動通信システムの通信方法。
【請求項３２】
前記ｘが６４であると、ＣＰＣＨコード・チャンネルは４個になり、それぞれの前記ＣＰＣＨコード・チャンネルは１６個のＰＣＰＣＨスクランブリング・コードを有することを特徴とする請求項３０記載の移動通信システムの通信方法。
【請求項３３】
前記ＡＰ−ＡＩＣＨ＃ｍ、または、前記ＣＤ−ＡＩＣＨ＃ｍの構造は、各アクセス・スロットがｘ個の単位で反復することを特徴とする請求項３０記載の移動通信システムの通信方法。
【請求項３４】
前記アクセス・スロットは、ＡＩ部分と、伝送されない部分と、により構成されることを特徴とする請求項３３記載の移動通信システムの通信方法。
【請求項３５】
前記ＡＰ−ＡＩＣＨ＃ｍはＡＰ−ＣＲＩＣＨ＃ｍをさらに含み、前記ＣＤ−ＡＩＣＨ＃ｍはＣＤ−ＣＲＩＣＭ＃ｍをさらに含むことを特徴とする請求項３０記載の移動通信システムの通信方法。
【請求項３６】
前記ＡＰ−ＣＲＩＣＨ＃ｍ及び／またはＣＤ−ＣＲＩＣＨ＃ｍは、前記ＣＰＣＨ＃ｍのために使用されるＡＰ−ＡＩＣＨ＃ｍ及び／またはＣＤ−ＡＩＣＨ＃ｍが一つのアクセス・スロット内のビット伝送を中断した時間を利用することを特徴とする請求項３５記載の移動通信システムの通信方法。
【請求項３７】
前記ＡＰ−ＣＲＩＣＨ＃ｍ及びＣＤ−ＣＲＩＣＨ＃ｍの構造は、各アクセス・スロットがｘ個の単位で反復することを特徴とする請求項３６記載の移動通信システムの通信方法。
【請求項３８】
前記一つのアクセス・スロットは、伝送されないビット部分と、再使用可否を示すビット部分（ＲＩ）と、により構成されることを特徴とする請求項３６記載の移動通信システムの通信方法。
【請求項３９】
前記ＡＰ−ＣＲＩＣＨ＃ｍ及びＣＤ−ＣＲＩＣＨ＃ｍがＰＣＰＣＨプリアンブリング・スクランブリング・コード及びＰＣＰＣＨ  ＣＤプリアンブリング・スクランブリング・コードの承認可否を通知するために使用されると、前記ＲＩ部分に含まれた各ビットを多様にマッピングし得ることを特徴とする請求項３６記載の移動通信システムの通信方法。
【請求項４０】
再使用因子を考慮した前記ＡＰ−ＣＲＩＣＨ＃ｍ及びＣＤ−ＣＲＩＣＨ＃ｍの構造は、使用されたシグネーチャの承認可否を通知するＡＩ部分及び使用されたＰＲＡＣＨプリアンブリング・スクランブリング・コードの承認可否を通知するＲＩ部分と、伝送されない部分と、により構成されることを特徴とする請求項３４記載の移動通信システムの通信方法。
【発明の詳細な説明】
【０００１】
【発明の属する技術分野】
本発明は、第３世代通信（3rd Generation Partnership Project；以下、３ＧＰＰと略称する）システムのチャンネル割当技術に係るもので、詳しくは、アップリンクスクランブリング・コードを有したＲＡＣＨ（Random Access Channel)およびＣＰＣＨ(Common Packet Channel）の物理的チャンネルを效率的に割り当てることができる移動通信システムの物理的チャンネル割当方法及びこれを利用した通信方法に関するものである。
【０００２】
【従来の技術】
一般的に、３ＧＰＰシステムにおいて、ユーザ端末機又は装備（ＵＥ）から基地局へのデータ伝送時に使用されるアップリンクチャンネル中、ＲＡＣＨ及びＣＰＣＨは、１６個のシグネーチャと、ＯＶＳＦ（Orthogonal Variable Spreading Factor）コードとを使用して、物理的チャンネルを割り当てる。
【０００３】
すなわち、端末機は、１６個のシグネーチャ（ＡＰ＃ｓ、＃ｓ＝０、１、２、．．．、１５）中の何れか１つのシグネーチャを利用して、プリアンブル・シグネーチャ（Ｃsig,s）を生成し、生成されたプリアンブル・シグネーチャ（Ｃsig,s）、各セル当たり与えられた一つの特定の物理的ＲＡＣＨ（ＰＲＡＣＨ）プリアンブリング・スクランブリング・コード（Ｓr-pre,n）を利用して、ランダムアクセス・プリアンブリング・コード（Ｃpre,n,s）を生成した後、生成されたランダムアクセス・プリアンブリング・コード（Ｃpre,n,s）をアクセス・プリアンブル（ＡＰ）に載せて基地局に伝送する。
【０００４】
ここで、ランダムアクセス・プリアンブリング・コード（Ｃpre,n,s）は、次の式（１）のような複素数値を有するシーケンス（Ｃpre,n,s）である。
【数５】
0004669144.tif 000002
【０００５】
ここで、ｋは、伝送されるチップであって、０、１、２、．．．、４０９６の整数に表され、特に、ｋ＝０のときは、該当時間の最初に伝送されるチップを意味する。  又、ｓは、シグネーチャ番号であって、０、１、２、．．．、１５の整数として表される。
【０００６】
先ず、従来技術によるＲＡＣＨの物理的チャンネル割当方式を図面を参照して説明する。
図３２は、従来技術によるＲＡＣＨの物理的チャンネル割当のためのコードツリーを示した構成図である。
【０００７】
図示されたように、拡散因子（Spreading Factor：ＳＦ）の増加に伴い、ＯＶＳＦコードが増加される。例えば、１６個のシグネーチャ（ＡＰ＃０〜ＡＰ＃１５）に対して拡散因子が１６であると、それぞれのシグネーチャは、ＯＶＳＦコードと１：１に対応される。ＡＰ＃０〜ＡＰ＃１５は、端末機がＡＰに載せて伝送するシグネーチャの種類を表す。
【０００８】
図３３は、従来技術によるＯＶＳＦコードツリーを示した構成図で、図３２のＲＡＣＨ物理的チャンネル割当コードツリーと対応する。すなわち、図３２のツリーの各ノードは、ＯＶＳＦコード（Ｃch,SF,k）にそれぞれコーディングされ、所定値を有する。
【０００９】
ＯＶＳＦコード（Ｃch,SF,k）において、ＳＦは、拡散因子を表し、ｋは、該当のＯＶＳＦコードが何番目のＯＶＳＦコードであるかを表す。
例えば、Ｃch,2,1は、ＳＦ＝２、ｋ＝１で、２番目のＯＶＳＦコードであることを表す。又、Ｃch,SF,kは、ＯＶＳＦコードツリーでそれぞれのノードに割り当てられるコード値を有し、ここで、ｋは、ノードの番号を意味することもある。このとき、ノードに割り当てられたコード値は、次の式（２）及び式（３）のように求められる。
Ｃch,1,0                        −−−−      （２）
【数６】
0004669144.tif 000003
【数７】
0004669144.tif 000004
【００１０】
ＯＶＳＦコードは、チャンネル化コードであって、伝送しようとするメッセージのデータ部分及びコントロール部分のために、二種類のコードを利用する。この場合、二種類のコードを決定する方法を図面を参照して説明する。
【００１１】
図３４は、従来技術によりＰＲＡＣＨのメッセージ伝送時のＯＶＳＦコード割当のためのＯＶＳＦコードツリーを示した構成図である。
伝送しようとするメッセージのデータ部分とコントロール部分のために、図３４に示されたように、ＯＶＳＦコードは、端末機自身のシグネーチャに該当するノードから右側方向のツリーに沿い、特定規則（あるいは、数式）によって割り当てられる。例えば、図３２のコードツリー中、シグネーチャのＳＦ＝１６の場合、メッセージのデータ部分のＯＶＳＦコードのＳＦは、３２〜２５６で、コントロール部分のＯＶＳＦコードのＳＦは、常時２５６となる。従って、各端末機で使用されるＰＲＡＣＨは、ＯＶＳＦコードにより区分され、全てのＰＲＡＣＨは、同種類のＰＲＡＣＨメッセージ部分のスクランブリング・コードを使用する。
【００１２】
図３５は、従来技術により割り当てられたＲＡＣＨ物理的チャンネルを通して端末機と基地局間で行われる通信過程を示したフローチャートである。
【００１３】
端末機が、図３２と同様の方式により割り当てられたＲＡＣＨの物理的チャンネルを通して、ＡＰに特定のシグネーチャを載せて基地局に伝送すると、基地局は、ＡＩＣＨ（Acquisition Indicator Channel）を通して、肯定応答信号（Acquisition Indicator：以下ＡＩという）を端末機に伝送する。よって、端末機は、承認されたシグネーチャに該当するノードから端末機自身が使用可能なＯＶＳＦコードを決定して、使用可能なＯＶＳＦコードと、一つのセル当たり一つ与えられた特定のＰＲＡＣＨメッセージ部分のスクランブリング・コードを利用して、基地局にメッセージ（ＭＳＧ）を伝送する。メッセージ（ＭＳＧ）は、データ部分とコントロール部分とからなる。
【００１４】
図３６は、従来技術による３ＧＰＰシステムに使用されるＡＩＣＨの構造を示した構成図である。
一つのＡＩＣＨは、１５個のアクセス・スロット（以下、ＡＳと略称する；ＡＳ＃０、ＡＳ＃１、．．．、ＡＳ＃１５）で構成され、その長さは、約２０ｍｓであり、一つのＡＳは、４０ビットの長さを有する。ＡＳは、３２ビット（ａ０、ａ１、ａ２、．．．、ａ３１）のＡＩ部分と、８ビット（ａ３２、ａ３３、．．．、ａ３９）の伝送しない部分とからなる。
【００１５】
ＡＩは、以前に端末機から伝送されたシグネーチャの使用可能可否を知らせるために割り当てられたビットである。よって、端末機からＡＩ部分のビットを解析することで、アクセス・プリアンブルで使用されたシグネーチャの使用可能可否を判断する。
【００１６】
図３７は、従来技術による３ＧＰＰシステムに使用されるＲＡＣＨサブチャンネル（RACH sub-channel）に該当するＡＳの番号を示したテーブルである。図示されたように、３ＧＰＰシステムで利用されるＲＡＣＨサブチャンネルは、全体で１２個であり、各サブチャンネルは、現在のシステムフレーム番号（System Frame Number；以下、ＳＦＮ）によって使用可能なアクセス・スロットに構成される。ＳＦＮは、Ｐ−ＣＣＰＣＨ（Primary Common Control Physical Channel）を通して端末機に伝送された情報であって、各種タイミングを制御するために利用されるチャンネルである。
【００１７】
図３８は、従来技術による端末機でＰＲＡＣＨのメッセージ部分の拡散を行うシステムを示した構成図である。
ＰＲＡＣＨメッセージのコントロール部分は、実数値を有し、チャンネル化コード（channelization code；Ｃｃ）により拡散される。ＰＲＡＣＨメッセージのデータ部分は実数値であって、チャンネル化コード（Ｃｄ）により拡散される。二種類の拡散された信号は、利得因子（Ａｄ、Ａｃ）がそれぞれ乗算され、加重値を有する信号が生成されて、ＩとＱブランチとして出力される。次いで、Ｉブランチに出力された信号と、Ｑブランチに出力され、複素因子（ｊ）が乗算された複素信号が合成されて複素信号列（Ｉ＋ｊＱ）に変換される。このような複素信号列は、複素スクランブリング・コードであって、ＰＲＡＣＨメッセージ部分のスクランブリング・コード（Ｓr-msg,n）が乗算されてスクランブリングされる。このとき、Ｓr-msg,nは、ＡＰに使用されたＰＲＡＣＨプリアンブリング・スクランブリング・コードＳr-msg,nと１：１の対応関係にある。
【００１８】
前述したＲＡＣＨ物理的チャンネル割当方式と同様に、従来技術によるＣＰＣＨの物理的チャンネル割当方式に対し、図面を参照して説明する。
従来技術による３ＧＰＰシステムにおいて、端末機は、１６個のシグネーチャＡＰ＃ｓ（＃ｓ＝０、１、２、．．．、１５）の何れか１つを利用して生成されたアクセス・プリアンブル・シグネーチャ（Ｃsig,s）と、各セル当たり与えられた一つの特定ＰＣＡＣＨプリアンブリング・スクランブリング・コード（Physical CPCH preamble scrambling code；Ｓc-acc,n）とを利用して、ＰＣＰＣＨアクセス・プリアンブリング・コード（Ｃc-acc,n,s）を生成し、それをアクセス・プリアンブル（ＡＰ）に載せて基地局に伝送する。
【００１９】
このとき、ＰＣＰＣＨアクセス・プリアンブリング・コード（Ｃc-acc,n,s）は、次の式（５）のように生成される複素数値を有するシーケンス（Ｓｅｑｕｅｎｃｅ）である。
【数８】
0004669144.tif 000005
【００２０】
ここで、ｋは、伝送されるチップであって、例えば、ｋ＝０の場合は、該当時間の最初に伝送されるチップ（ｃｈｉｐ）を意味する。またｓは、シグネーチャ番号であって、０、１、２、．．．、１５の整数である。
【００２１】
又、端末機は、１６個のシグネーチャＡＰ＃ｓ（＃ｓ＝０、１、２、．．．、１５）中の何れか１つを利用して生成されたアクセス・プリアンブル・シグネーチャ（Ｃsig,s）、及びセル当たり与えられた一つの特定ＰＣＰＣＨ  ＣＤアクセス・プリアンブリング・スクランブリング・コード（Physical CPCH collision detection access preamble scrambling code；Ｓc-cd,n）を利用して、ＰＣＰＣＨＣＤプリアンブルコード（Ｃc-cd,n,s）を生成し、それをＣＤプリアンブル（以下、ＣＤと略称する）に載せて基地局に伝送する。
【００２２】
このとき、ＰＣＰＣＨ  ＣＤプリアンブルコード（Ｃc-cd,n,s）は、次の式（６）のように生成される複素数値を有するシーケンスである。
【数９】
0004669144.tif 000006
【００２３】
ここで、ｋは、伝送されるチップであって、０，１，２，．．．．，４０９６の定数として表される。
【００２４】
図３９は、従来技術により、ＣＰＣＨのメッセージ伝送時にＯＶＳＦコードを割り当てるためのＯＶＳＦコードツリー構成図である。
【００２５】
ＯＶＳＦコードは、チャンネル化コード（ＯＶＳＦ  Orthogonal Variable Spreading Factor）であって、伝送しようとするメッセージのデータ部分と、コントロール部分と、を構成するために二種類のコードを必要とするが、ＣＰＣＨ伝送が承認された端末機では、全て一つのＯＶＳＦコード集合からＯＶＳＦコードを選択して使用する。このとき、伝送しようとするメッセージのデータ部分と、コントロール部分とを構成するためのＯＶＳＦコードは、特定規則（あるいは、数式）により必要なＯＶＳＦコードが割り当てられる。メッセージのデータ部分と、コントロール部分とを構成するためのＯＶＳＦコードは、ＳＦ＝３２〜２５６である。
【００２６】
このとき、各端末機で使用されるＰＣＰＣＨは、それぞれのＰＣＰＣＨメッセージ部分のスクランブリング・コードによって区分され、全てのＰＣＰＣＨは、同種類のＯＶＳＦコードを使用する。
【００２７】
ここで、Ｃch,SF,kは、ＯＶＳＦコード、ＳＦは、拡散要素、ｋは、該当ＳＦを有するＯＶＳＦコードの中から何番目のコードであるか、をそれぞれ表す。
【００２８】
すなわち、Ｃch,SF,mは、図３３に示したように、ＯＶＳＦコードツリーのそれぞれのノードに割り当てられるコード値で、それら値は、式（２）、（３）、（４）のように定義される。
【００２９】
従って、１セル当たり１６個のＰＣＰＣＨメッセージ部分のスクランブリング・コードと、それらのＡＰのために、一つのＰＣＰＣＨアクセス・プリアンブリング・スクランブリング・コードとが割り当てられ、各ＰＣＰＣＨメッセージ部分のスクランブリング・コードは、シグネーチャＡＰ＃ｓと１：１の対応関係にある。すなわち、１６個のシグネーチャＡＰ＃０〜ＡＰ＃１５は、１６個のＰＣＰＣＨメッセージ部分のスクランブリング・コードとそれぞれ１：１に対応される。
【００３０】
図４０は、従来技術により割り当てられたＣＰＣＨ物理的チャンネルを通して端末機と基地局間で行われる通信過程を示したフローチャートである。
【００３１】
前述の方式により割り当てられたＣＰＣＨ物理的チャンネルを通して、端末機がＡＰに特定のシグネーチャを載せて基地局に伝送すると、該当の基地局は、ＡＰ−ＡＩＣＨ（Access Preamble-AICH）を通して、肯定応答信号のＡＩ（ＡＩ：Acquisition Indicator）を端末機に伝送する。そうすると、端末機は、衝突検出（Collision Detection：ＣＤ）を再び基地局に伝送し、該当の基地局は、ＣＤを受信してＣＤ−ＡＩＣＨを通して肯定信号（ＡＩ）を再び端末機に伝送する。
【００３２】
ここで、ＣＤは、ＡＰに使用されるシグネーチャと同種類のシグネーチャであるＡＰ＃０〜ＡＰ＃１５を使用し、ＰＣＰＣＨ  ＣＤアクセス・プリアンブリング・スクランブリング・コード（PCPCH CD access preamble scrambling code）は、ＰＣＰＣＨアクセス・プリアンブリング・スクランブリング・コードのその他の一部を使用する。
【００３３】
そうすると、端末機は、使用可能なＯＶＳＦコードと、ＡＰ−ＡＩＣＨを通して承認されたシグネーチャに対応するＰＣＰＣＨメッセージ部分のスクランブリング・コードを利用して、自分のメッセージ（ＭＳＧ）を伝送する。このとき、メッセージ（ＭＳＧ）は、データ部分と、コントロール部分とからなる。
【００３４】
ここで、ＡＰ−ＡＩＣＨ及びＣＤ−ＡＩＣＨは、相互同一の一つのダウンリンク・スクランブリング・コード（Ｓdl,n）と、異なる種類のチャンネル化コードを使用する。
一方、ＡＰ−ＡＩＣＨの構造、及びＣＤ−ＡＩＣＨの構造は、前述したように、図３６及び図３７のように構成される。
【００３５】
図４１は、従来技術による端末機でＰＣＰＣＨのメッセージ部分の拡散を行うシステムを示した構成図である。
ＰＣＰＣＨメッセージのコントロール部分は、実数値を有し、チャンネル化コードＣｄにより拡散され、ＰＲＡＣＨメッセージのデータ部分は実数値であって、チャンネル化コードＣｄにより拡散される。二種類の拡散された信号は、利得因子（gain factors；Ａｄ、Ａｃ）がそれぞれ乗算されて、加重値を有する信号として生成されて、ＩとＱブランチに出力される。次いで、Ｉブランチに出力された信号と、Ｑブランチに出力され、複素因子（ｊ）が乗算された複素信号が合成されて複素信号列（Ｉ＋ｊＱ）に変換される。複素信号列は、複素スクランブリング・コードであって、ＰＣＰＣＨメッセージ部分のスクランブリング・コード（Ｓc-msg,n）が乗算されてスクランブリングされる。このとき、Ｓc-msg,nは、ＡＰに使用されたＣＰＣＨプリアンブリング・スクランブリング・コードＳc-msg,nと１：１の対応関係にある。
【００３６】
【発明が解決しようとする課題】
然るに、このような従来技術によるＲＡＣＨのための物理的チャンネル割当方法においては、一つのセルは、それぞれ１個のＰＲＡＣＨプリアンブリング・スクランブリング・コードが割り当てられて、伝送しようとするメッセージ部分のためのＲＡＣＨメッセージ部分のスクランブリング・コードは、ＰＲＡＣＨプリアンブリング・スクランブリング・コードと１：１に対応されるため、ＰＲＡＣＨを效率的に再使用することができないという不都合な点があった。
【００３７】
ここで、１：１の対応関係にあるＰＲＡＣＨメッセージ部分のスクランブリング・コードとＰＲＡＣＨプリアンブリング・スクランブリング・コードとは、同一のロングコードの異なる部分を使用していた。
【００３８】
又、従来技術によるＣＰＣＨのための物理的チャンネル割当方法においては、一つのセルは、それぞれ１個のＰＣＰＣＨプリアンブリング・スクランブリング・コードが割り当てらて、伝送しようとするメッセージ部分のためのＣＰＣＨメッセージ部分のスクランブリング・コードは、ＰＣＰＣＨプリアンブリング・スクランブリング・コードと１：１対応されるため、ＰＣＰＣＨを效率的に再使用することができないという不都合な点があった。
【００３９】
ここで、１：１の対応関係にあるＰＣＰＣＨメッセージ部分のスクランブリング・コードと、ＰＣＰＣＨプリアンブリング・スクランブリング・コードとは、同一のロングコードの異なる部分を使用していた。
【００４０】
本発明は、このような従来の課題に鑑みてなされたもので、本発明の第１目的は、３ＧＰＰシステムで複数個のシグネーチャと一つのセル当たり余分のアップリンクスクランブリング・コードとを效率的に割り当てることができる移動通信システムの物理的チャンネル割当方法を提供することにある。
【００４１】
本発明の第２目的は、３ＧＰＰシステムにおいて、複数個のシグネーチャと一つのセル当たり複数個のＰＲＡＣＨプリアンブリング・スクランブリング・コードとを割り当てる際、物理的チャンネルを效率的に割り当てることができる移動通信の物理的チャンネル割当方法を提供することにある。
【００４２】
本発明の第３目的は、３ＧＰＰシステムにおいて、複数個のシグネーチャと一つのセル当たり複数個のＰＲＡＣＨプリアンブリング・スクランブリング・コードとを割り当てる場合に好適なＡＩＣＨ構造を提供することにある。
【００４３】
本発明の第４目的は、３ＧＰＰシステムにおいて、１６個のシグネーチャと一つのセル当たり複数個のＰＲＡＣＨプリアンブリング・スクランブリング・コードとを割り当てる際、物理的チャンネルを效率的に割り当てることができる移動通信の物理的チャンネル割当方法を提供することにある。
【００４４】
本発明の第５目的は、３ＧＰＰシステムにおいて、１６個のシグネーチャと一つのセル当たり複数個のＰＲＡＣＨプリアンブリング・スクランブリング・コードとを割り当てる場合に好適なＡＩＣＨ構造を提供することにある。
【００４５】
本発明の第６目的は、３ＧＰＰシステムにおいて、複数個のシグネーチャと一つのセル当たり複数個のＰＣＰＣＨプリアンブリング・スクランブリング・コードとを割り当てる際、物理的チャンネルを效率的に割り当てることができる移動通信の物理的チャンネル割当方法を提供することにある。
【００４６】
本発明の第７目的は、３ＧＰＰシステムにおいて、複数個のシグネーチャと一つのセル当たり複数個のＰＣＰＣＨプリアンブリング・スクランブリング・コードとを割り当てる場合に好適なＡＩＣＨ構造を提供することにある。
【００４７】
本発明の第８目的は、３ＧＰＰシステムにおいて、１６個のシグネーチャと一つのセル当たり複数個のＰＣＰＣＨプリアンブリング・スクランブリング・コードとを割り当てる際、物理的チャンネルを效率的に割り当てることができる移動通信の物理的チャンネル割当方法を提供することにある。
【００４８】
本発明の第９目的は、３ＧＰＰシステムにおいて、１６個のシグネーチャと一つのセル当たり複数個のＰＣＰＣＨプリアンブリング・スクランブリング・コードとを割り当てる場合に好適なＡＩＣＨ構造を提供することにある。
【００４９】
本発明の第１０目的は、３ＧＰＰシステムにおいて、１６個のシグネーチャと一つのセル当たり複数個のＰＣＰＣＨスクランブリング・コードとを割り当てる場合に好適なＡＰ−ＡＩＣＨ及びＣＤ−ＡＩＣＨ構造を提供することにある。
【００５０】
本発明の第１１目的は、新しい物理的ランダムアクセス手順を提供することにある。
【００５１】
本発明の第１２目的は、３ＧＰＰシステムにおいて、１６個のシグネーチャと再使用因子を考慮して、一つのセル当たり１６個より多くのＰＣＰＣＨアクセス・プリアンブル（又は、ＰＣＰＣＨメッセージ部分のスクランブリング・コード）を效率的に割り当てることができる移動通信システムの物理的チャンネル割当方法を提供することにある。
【００５２】
本発明の第１３目的は、複数個のシグネーチャと、一つのセル当たり複数個のＰＲＡＣＨプリアンブリング・スクランブリング・コードとに割り当てられた物理的チャンネルを利用して移動通信システムの通信方法を提供することにある。
【００５３】
【課題を解決するための手段】
本発明の第１特徴によると、３ＧＰＰシステムにおいて、ＰＲＡＣＨの再使用などを考慮して、１セル当たり複数個のＰＲＡＣＨプリアンブリング・スクランブリング・コード（ＳＣ＃ｍ）を割当てた場合、端末機は、ＰＲＡＣＨを割り当てられるため、１６個のシグネーチャＡＰ＃ｓ（ｓ＝０、…、１５）中の何れか１つと、該当セルに割り当てられたＰＲＡＣＨプリアンブリング・スクランブリング・コード中の何れか１つのＳＣ＃ｍを利用してアクセス・プリアンブル（ＡＰ）を伝送する。
【００５４】
本発明の第２特徴によると、第１特徴によって伝送されたＡＰが基地局により肯定されると、端末機はＡＰで使用されたＰＲＡＣＨプリアンブリング・スクランブリング・コードＳＣ＃ｍと１：１の対応関係にあるＰＲＡＣＨメッセージ部分のスクランブリング・コードＭＳＣ＃ｍを利用して、自分のメッセージを伝送する。
このとき、ＳＣ＃ｍとＭＳＣ＃ｍとは１：１の対応関係にあって、それら二つのコードが同一のコードの異なる部分を使用するようにさせると、より効率的である。
【００５５】
本発明の第３特徴によると、第１特徴が適用される端末機において、ＡＰに使用可能なシグネーチャと、ＰＲＡＣＨプリアンブリング・スクランブリング・コードとは、該当ＲＡＣＨの伝送を行うために、上位レイヤーにより制限することができる。このため、アクセス・サービス・クラス（Access Service Class：ＡＳＣ）の概念を使用することができる。
【００５６】
本発明の第４特徴によると、第１〜３の特徴が適用される端末機から伝送されたＡＰに対し、基地局は、複数個のＡＩＣＨ（Acquisition Indicator Channel ：以下、ＡＩＣＨと略称する）を通して許容可否を通知する。このとき、ＡＩＣＨの個数は、該当セルに割り当てられたＰＲＡＣＨプリアンブリング・スクランブリング・コードの個数によって決定される。一例として、異なるＰＲＡＣＨプリアンブリング・スクランブリング・コードＳＣ＃ｍを利用したＡＰに対する認証は、該当の各ＡＩＣＨが担当する。すなわち、ＳＣ＃ｍを利用したＡＰについては、ＡＩＣＨ＃ｍが認証を行う。従って、ＳＣ＃ｍ、ＭＳＣ＃ｍ、ＡＩＣＨ＃ｍは、１：１：１の対応関係を有する。
【００５７】
本発明の第５特徴によると、第４特徴によるＡＩＣＨは、一つのダウンリンク・スクランブリング・コードを共通に使用する。
【００５８】
本発明の第６特徴によると、第４特徴による各ＡＩＣＨ＃ｍを異なるＯＶＳＦコードをチャンネル化コードとしてに使用する。すなわち、ＡＩＣＨ＃ｍと、ＡＩＣＨ＃ｍのチャンネル化コードＣch,SFm,Kmとは、１：１の対応関係にある。
【００５９】
本発明の第７特徴によると、各特徴によるＳＣ＃ｍ、ＭＳＣ＃ｍ、ＡＩＣＨ＃ｍ、Ｃch,SFm,Kmは、１：１：１：１の関係を有する。
【００６０】
本発明の第８特徴によると、３ＧＰＰシステムにおいて、ＰＲＡＣＨの再使用が考慮される場合、端末機が基地局へのデータ伝送のために、ＰＲＡＣＨを割り当てれらるとき、端末機は、１６個のシグネーチャＡＰ＃ｓ（ｓ＝０、…、１５）中の何れか１つと、該当セルに割り当てられたＰＲＡＣＨプリアンブリング・スクランブリング・コード中の何れか１つのＳＣ＃ｍを利用して、アクセス・プリアンブルＡＰを伝送する。
【００６１】
本発明の第９特徴によると、第８特徴によって伝送されたＡＰが基地局により肯定されると、端末機は、アクセス・プリアンブルで使用されたＰＲＡＣＨプリアンブリング・スクランブリング・コードＳＣ＃ｍと１：１の対応関係にあるＰＲＡＣＨメッセージ部分のスクランブリング・コードを利用して自分のメッセージを伝送する。
【００６２】
本発明の第１０特徴によると、第８特徴が適用される端末機のＲＡＣＨ伝送時に、アクセス・プリアンブルで使用可能なシグネーチャとＰＲＡＣＨプリアンブリング・スクランブリング・コードとは、該当ＲＡＣＨ伝送のために上位レイヤーによって与えられた“アクセス・サービス・クラス”（ＡＳＣ）により決定される。
【００６３】
本発明の第１１特徴によると、基地局は、第８、１０の特徴が適用される端末機から伝送されたオンアクセス・プリアンブルに対する許容可否及び現在のＲＡＣＨに関する諸般情報を通常のＡＩＣＨ（Acquisition Indicator Channel）や新しい物理的チャンネルを通して通知する（以下、新しい物理的チャンネルをＲＲＩＣＨと略称する）。
【００６４】
本発明の第１２特徴によると、第８、１０特徴が適用される端末機から伝送されたアクセス・プリアンブルに対し、基地局では通常のＡＩＣＨ構造を修正した後、その修正されたＡＩＣＨを通して許容可否を知らせる。
【００６５】
本発明の第１３特徴によると、第１１特徴による新しい物理的チャンネル（ＲＲＩＣＨ）は、ＲＡＣＨのために使用される通常のＡＩＣＨが一つのアクセス・スロット（ＡＳ）内で伝送が中断される時間を利用する（ＲＡＣＨのために使われている通常のＡＩＣＨは、２０／１５ｍｓｅｃ長さの一つのＡＳ内の一部時間の間伝送され、残りの時間は、伝送が中断される）。このとき、ＲＲＩＣＨは、構成上の複雑度を最小化するために、ＡＩＣＨのようなスクランブリング・コードと、チャンネル区分コードとを使用する。しかし、必要に応じて異なる種類のコードを使用することもできる。
【００６６】
本発明の第１４特徴によると、第１０、１３特徴による新しい物理的チャンネル（ＲＲＩＣＨ）の情報伝達単位は、通常のＡＩＣＨで使用されるアクセス・スロットの一単位と同一である。すなわち、２０／１５ｍｓｅｃの長さを有する一つのアクセス・スロット内に伝送された情報を一つの情報単位として使用する。
【００６７】
本発明の第１５特徴によると、第１１、１３特徴による新しい物理的チャンネル（ＲＲＩＣＨ）の情報伝達単位は、必要に応じて通常のＡＩＣＨで使用されるアクセス・スロットの１５単位と同一である。すなわち、２０ｍｓｅｃの長さを有した１５アクセス・スロット内に伝送された情報を一つの情報単位として使用する。
【００６８】
本発明の第１６特徴によると、３ＧＰＰシステムにおいて、ＰＣＰＣＨの再使用などを考慮して１６個のシグネーチャＡＰ＃ｓ（ｓ＝０、…、１５）と、１セル当たりｘ個の“ＰＣＰＣＨスクランブリング・コード”とを割り当てる場合、ｘ個のＰＣＰＣＨスクランブリング・コードをｙ個の“ＣＰＣＨコード・チャンネル”に分類する。
【００６９】
このとき、各ＣＰＣＨコード・チャンネルに属するＰＣＰＣＨスクランブリング・コードは、“ＰＣＰＣＨメッセージ部分のスクランブリング・コード”のために使用され、その中、選択された２個が“ＰＣＰＣＨアクセス・プリアンブリング・スクランブリング・コード”と“ＰＣＰＣＨＣＤアクセス・プリアンブリング・スクランブリング・コード”のために使用される。例えば、ｘ＝６４の場合は、ｙ＝４である。すなわち、４個のＣＰＣＨコード・チャンネル（Ｃｏｄｅ−ｃｈａｎｎｅｌ＃０〜Ｃｏｄｅ−ｃｈａｎｎｅｌ＃３）が発生され、Ｃｏｄｅ−ｃｈａｎｎｅｌ＃ｍは、１６個ずつのＰＣＰＣＨスクランブリング・コードを有する。
【００７０】
本発明の第１７特徴によると、３ＧＰＰシステムにおいて、ＰＣＰＣＨの再使用などを考慮して、１６個のシグネーチャＡＰ＃ｓ（ｓ＝０、…、１５）と、１セル当たりｘ個の“ＰＣＰＣＨスクランブリング・コード”とを割り当てる場合、端末機は、ＰＣＰＣＨを割り当てられるために、１６個のシグネーチャＡＰ＃ｓ中の何れか１つ、及び該当セルに割り当てられた“ＰＣＰＣＨアクセス・プリアンブリング・スクランブリング・コード”ＡＰＳ＃ｍ（ｍ＝０、…、１５）中の何れか１つを利用してＡＰを伝送する。
【００７１】
本発明の第１８特徴によると、３ＧＰＰシステムにおいて、ＰＣＰＣＨの再使用などを考慮して、１６個のシグネーチャＡＰ＃ｓ（ｓ＝０、…、１５）と、１セル当たりｘ個の“ＰＣＰＣＨスクランブリング・コード”を割り当てる場合、端末機は、１６個のシグネーチャＡＰ＃ｓ中の何れか１つと、該当セルに割り当てられた“ＰＣＰＣＨＣＤアクセス・プリアンブリング・スクランブリング・コード”ＣＤ−ＡＰＳＣ＃ｍ（ｍ＝０、…、Ｍ）中の何れか１つを利用してＣＤを伝送することで、ＰＣＰＣＨの割当が行われる。
【００７２】
本発明の第１９特徴によると、本発明の第１６、１７、１８特徴が適用される端末機でＣＰＣＨ伝送を行うために、ＡＰ（あるいは、ＣＤ）で使用可能なシグネーチャと、ＰＣＰＣＨアクセス・プリアンブリング・スクランブリング・コード（あるいは、ＰＣＰＣＨＣＤアクセス・プリアンブリング・スクランブリング・コード）とは、上位レイヤーで定義される。このとき、上位レイヤーで“アクセス・サービス・クラス”（ＡＳＣ）概念を使用することもできる。
【００７３】
本発明の第２０特徴によると、第１６、１７、１８、１９特徴により伝送されたＡＰ及びＣＤが基地局で肯定されると、端末機は、ＰＣＰＣＨメッセージ部分のスクランブリング・コードＭＳＣ＃ｎを利用して自分のメッセージを伝送する。
【００７４】
このとき、ＭＳＣ＃ｎはＡＰで使用されたＡＰＳＣ＃ｍと、ＡＰ＃ｓとにより決定される。すなわち、ＡＰＳＣ＃ｍが属するＣＰＣＨコード・チャンネルがＣｏｄｅ−ｃｈａｎｎｅｌ＃ｍであると、ＡＰ＃ｓによりＭＳＣ＃ｎが決定されるが、ＡＰＳＣ＃ｍ及びＭＳＣ＃ｎは、第１特徴で定義されたＣｏｄｅ−ｃｈａｎｎｅｌ＃ｍに属するコードである。ここで、ｍ、ｓ、ｎの関係は、予め定義されていなければならない。
【００７５】
本発明の第２１特徴によると、特徴による端末機から伝送されたＡＰ及びＣＤに対して、基地局は、許容可否を複数個のＡＰ−ＡＩＣＨ及びＣＤ−ＡＩＣＨを通して通知する。このとき、ＡＩＣＨの個数は、該当セルに割り当てられたＰＣＰＣＨスクランブリング・コードの個数によって決定される。
【００７６】
一例として、４個のＣＰＣＨコード・チャンネル（Ｃｏｄｅ−ｃｈａｎｎｅｌ＃０〜Ｃｏｄｅ−ｃｈａｎｎｅｌ＃３）があると仮定すれば、４個ずつのＡＰ−ＡＩＣＨ及びＣＤ−ＡＩＣＨが必要である。すなわち、ＡＰＳＣ＃ｍを利用したＡＰに対して、ＡＰ−ＡＩＣＨ＃ｍが認証を行い、ＣＤ−ＡＰＳ＃ｍを利用したＣＤに対して、ＣＤ−ＡＩＣＨ＃ｍが認証を行う。この場合、ＡＰＳＣ＃ｍとＡＰ−ＡＩＣＨ＃ｍとは１：１の対応関係にあろ、ＣＤ−ＡＰＳＣ＃ｍとＣＤ−ＡＩＣＨ＃ｍとも１：１の対応関係にある。
【００７７】
本発明の第２２特徴によると、本発明の第２１特徴によるＡＰ−ＡＩＣＨとＣＤ−ＡＩＣＨは、同様の一つのダウンリンク・スクランブリング・コードを共通に使用する。このとき、全ての種類のＡＩＣＨは、異なるＯＶＳＦコードをチャンネル化コードとして使用する。従って、ＡＰ−ＡＩＣＨ＃ｍと、そのチャンネル化コードＣAPCh,sFm,kmとは１：１の対応関係にあり、ＣＤ−ＡＩＣＨ＃ｍと、そのチャンネル化コードＣCDCh,sFm,kmとも１：１の対応関係にある。又、任意のＣAPCh,sFm,kmとＣCDCh,sFm,kmとは同様でない。
【００７８】
本発明の第２３特徴によると、本発明の第２１特徴によるＡＰ−ＡＩＣＨは、相互に同一の一つのダウンリンク・スクランブリング・コードを共通に使用し、ＣＤ−ＡＩＣＨも相互に同一の一つのダウンリンク・スクランブリング・コードを共通に使用する。
【００７９】
しかし、ＡＰ−ＡＩＣＨが使用するダウンリンク・スクランブリング・コードと、ＣＤ−ＡＩＣＨが使用するダウンリンク・スクランブリング・コードとは異なるものにすべきであるため、全て２個のダウンリンク・スクランブリング・コードが存在する。
【００８０】
このとき、各ＡＰ−ＡＩＣＨは、異なるＯＶＳＦコードをチャンネル化コードとして使用し、各ＣＤ−ＡＩＣＨも異なるＯＶＳＦコードをチャンネル化コードとして使用する。すなわち、ＡＰ−ＡＩＣＨ＃ｍと、そのチャンネル化コード  ＣAPCh,sFm,kmとは、１：１の対応関係にあり、ＣＤ−ＡＩＣＨ＃ｍと、そのチャンネル化コードＣCDCh,sFm,kmとも１：１の対応関係にある。しかし、任意の
ＣAPCh,sFm,kmとＣCDCh,sFm,kmとは、双方同一であるか、又は相違である。
【００８１】
本発明の第２４特徴によると、３ＧＰＰシステムにおいて、ＰＣＰＣＨの再使用のために１６個のシグネーチャＡＰ＃ｓ（ｓ＝０、…、１５）と、１セル当たりｘ個の“ＰＣＰＣＨスクランブリング・コード”とを割り当てる際、ｘ個のＰＣＰＣＨスクランブリング・コードをｙ個のコードグループに分類する。このとき、各コードグループに属するＰＣＰＣＨスクランブリング・コードは、“ＰＣＰＣＨメッセージ部分のスクランブリング・コード”として使用され、その中から選択された２個を“ＰＣＰＣＨアクセス・プリアンブリング・スクランブリング・コード”と、“ＰＣＰＣＨＣＤアクセス・プリアンブリング・スクランブリング・コード”として使用する。例えば、ｘ＝６４の場合、ｙ＝４である。すなわち、４個のコードグループが発生され、各コードグループは、１６個ずつのＰＣＰＣＨスクランブリング・コードを有する。
【００８２】
本発明の第２５特徴によると、３ＧＰＰシステムにおいて、ＰＣＰＣＨの再使用が考慮される場合、端末機にＰＣＰＣＨを割り当てるために、１６個のシグネーチャＡＰ＃ｓ（ｓ＝０、…、１５）中の何れか１つと、該当セルに割り当てられた“ＰＣＰＣＨアクセス・プリアンブリング・スクランブリング・コード”ＡＰＳＣ＃ｍ（ｍ＝０、…、Ｍ）中の何れか１つとを利用してアクセス・プリアンブル（Ａｃｃｅｓｓ  Ｐｒｅａｍｂｌｅ；ＡＰ）を伝送する。
【００８３】
本発明の第２６特徴によると、３ＧＰＰシステムにおいて、ＰＣＰＣＨの再使用が考慮される場合、端末機にＰＣＰＣＨを割り当てるために、１６個のシグネーチャＡＰ＃ｓ中の何れか１つと、該当セルに割り当てられた“ＰＣＰＣＨＣＤアクセス・プリアンブリング・スクランブリング・コード”ＣＤ−ＡＰＳＣ＃ｍ（ｍ＝０、…、Ｍ）中の何れか１つとを利用して衝突検波ＣＤを伝送する。
【００８４】
本発明の第２７特徴によると、本発明の第２５、２６特徴による端末機からＣＰＣＨ伝送を行うために、ＡＰ（あるいは、ＣＤ）で使用可能なシグネーチャと、ＰＣＰＣＨアクセス・プリアンブリング・スクランブリング・コード（あるいは、ＰＣＰＣＨＣＤアクセス・プリアンブリング・スクランブリング・コード）とは、該当ＣＰＣＨ伝送を行うために、上位レイヤーにより決定される。このとき、“アクセス・サービス・クラス”（ＡＳＣ）概念を使用することもできる。
【００８５】
本発明の第２８特徴によると、第２５、２６特徴により伝送されたＡＰ及びＣＤが基地局で肯定されると、端末機は、ＰＣＰＣＨメッセージ部分のスクランブリング・コードＭＳＣ＃ｎを利用して自分のメッセージを伝送する。このとき、ＭＳＣ＃ｎは、ＡＰで使用されたＡＰＳＣ＃ｍ、及びＡＰ＃ｓのみによって決定される。すなわち、ＡＰＳＣ＃ｍによりコードグループが決定されると、ＡＰ＃ｓによりＭＳＣ＃ｎが決定される。
【００８６】
ここで、ＡＰＳＣ＃ｍ、及びＭＳＣ＃ｎは、第１特徴で定義されたコードと同一のコードグループに属するコードである。
【００８７】
本発明の第２９特徴によると、第２５、２６特徴による端末機から伝送されたＡＰ及びＣＤの許容可否及び現在の諸般情報について、基地局は、既存のＡＩＣＨ及び／又は新しい物理的チャンネルを通して通知する。以下、新しい物理的チャンネルをＣＲＩＣＨ（CPCH Reuse Indicator Channel）と略称する。
【００８８】
本発明の第３０特徴によると、本発明の第２５、２６特徴による端末機から伝送されたＡＰの許容可否について、基地局は、既存のＡＩＣＨの構造を修正した後、その修正されたＡＩＣＨを通して通知する。この方法は、第６特徴の他の変形例である。
【００８９】
本発明の第３１特徴によると、本発明に係る新しい物理的チャンネル（ＣＲＩＣＨ）はＣＰＣＨのために使われている既存のＡＩＣＨが一アクセス・スロット（ＡＳ）内で伝送が中断される時間を利用する。ＣＰＣＨ伝送のために使用される既存のＡＩＣＨは、２０／１５ｍｓｅｃ長さの一つのＡＳ内の一部の時間の間伝送され、残りの時間の間は、伝送が中断される。このとき、ＣＲＩＣＨは、構成上の複雑度も最小化するために、ＡＩＣＨのようなスクランブリング・コードと、チャンネル区分コードとを使用するが、必要に応じてその他のコードを使用することもできる。
【００９０】
本発明の第３２特徴によると、本発明の第２９、３１特徴による新しい物理的チャンネルの情報伝達単位は、既存のＡＩＣＨが使用するアクセス・スロットの一単位と同一である。例えば、２０／１５ｍｓｅｃの長さを有するた一つのアクセス・スロット内に伝送される情報を一つの情報単位として使用する。
【００９１】
本発明の第３３特徴によると、本発明の第２９、３１特徴による新しい物理的チャンネルの情報伝達単位は、必要に応じて既存のＡＩＣＨが使用するアクセス・スロットの１５単位と同様に使用される。すなわち、２０ｍｓｅｃの長さを有する１５アクセス・スロット内に伝送された情報を一つの情報単位として使用する。
【００９２】
本発明に係る移動通信システムの通信方法においては、第１アップリンクのチャンネル（ＲＡＣＨ）を通して、端末機が、複数個のシグネーチャ（ＡＰ＃ｓ）中の何れか１つを利用して生成されたプリアンブル・シグネチャ・コード（Ｃsig,s）と、該当セルに許容されたｘ個の第１アップリンクの物理的チャンネル（ＰＲＡＣＨ）プリアンブリング・スクランブリング・コード（ＳＣ＃ｍ）中の何れか１つの第１アップリンクの物理的チャンネル（ＰＲＡＣＨ）プリアンブリング・スクランブリング・コード（ＳＣ＃ｉ）を利用して生成される第１アップリンクの物理的チャンネル・アクセス・プリアンブリング・コード（Ｃpre,n,s）をアクセス・プリアンブル（ＡＰ）に載せて、基地局に伝送する段階と、
第１ダウンリンクのチャンネル（ＡＩＣＨ＃ｍ）を通して、端末機が、受信されたＡＰに含まれたシグネーチャと、第１アップリンクの物理的チャンネル・スクランブリング・コードの種類とを解読して、シグネーチャの使用可否を通知するＡＩを生成した基地局からＡＩを受信する段階と、
端末機が承認されたシグネーチャにより決定されるチャンネル化コードと、第１アップリンクの物理的チャンネル・メッセージ部分のスクランブリング・コード（ＭＳＣ＃ｍ）を利用して、基地局に端末機のメッセージを伝送する段階を備えている。
【００９３】
そして、本発明に係る移動通信システムの通信方法においては、ＲＡＣＨを通して、端末機が、複数個のシグネーチャ（ＡＰ＃ｓ）中の何れか１つを利用して生成されたプリアンブル・シグネチャ・コード（Ｃsig,s）と、該当セルに許容されたｘ個のＰＲＡＣＨプリアンブリング・スクランブリング・コード（ＳＣ＃ｍ）中の何れか１つのＰＲＡＣＨプリアンブリング・スクランブリング・コード（ＳＣ＃ｉ）を利用して生成されるＰＲＡＣＨアクセス・プリアンブリング・コード（Ｃpre,n,s）とをアクセス・プリアンブル（ＡＰ）に載せて、基地局に伝送する段階と、
ＡＩＣＨ＃ｍを通して、端末機が、受信されたＡＰに含まれたシグネーチャと、ＰＲＡＣＨスクランブリング・コードの種類とを解読して、シグネーチャの使用可否を通知するＡＩを生成した基地局から、ＡＩを受信する段階と、
端末機が、承認されたシグネーチャにより決定されるチャンネル化コード、及びＰＲＡＣＨメッセージ部分のスクランブリング・コード（ＭＳＣ＃ｍ）を利用して、基地局に端末機のメッセージを伝送する段階を備えている。
【００９４】
本発明に係る移動通信システムの通信方法においては、ＲＡＣＨの再使用因子が考慮されたＲＲＩＣＨ＃ｍ（ＲｅｕｓｅＲＡＣＨＩｎｄｉｃａｔｏｒＣｈａｎｎｅｌ）を追加的に含む。
【００９５】
本発明に係る移動通信システムの通信方法においては、第１アップリンクのチャンネル（ＣＰＣＨ）を通して、端末機が、複数個のシグネーチャ（ＡＰ＃ｓ）中の何れか１つを利用して生成されたプリアンブル・シグネチャ・コード（Ｃa-acc、s）と、該当セルに許容されたｙ個の第２アップリンクの物理的チャンネル（ＰＣＰＣＨ−ＣＤ）プリアンブリング・スクランブリング・コード（ＣＤＳＣ＃ｍ）中の何れか１つの第２アップリンクの物理的チャンネル（ＰＣＰＣＨ−ＣＤ）プリアンブリング・スクランブリング・コード（ＣＤＳＣ＃ｉ）を利用して生成される第２アップリンクの物理的チャンネル（ＰＣＰＣＨ−ＣＤ）アクセス・プリアンブリング・コード（Ｃc-cd,n,s）を衝突検出プリアンブル（ＣＤ）に載せて、基地局に伝送する段階と、
第２ダウンリンクのチャンネル（ＣＤ−ＡＩＣＨ＃ｍ）を通して、端末機が、衝突可否を検出するためのＣＤの衝突可否を通知するＡＩを生成した基地局から、ＡＩを受信する段階を追加的に行う。
【００９６】
本発明に係る移動通信システムの通信方法においては、ＣＰＣＨを通して、端末機が、複数個のシグネーチャ（ＡＰ＃ｓ）中の何れか１つを利用して生成されたプリアンブル・シグネチャ・コード（Ｃsig,s）と、該当セルに許容されたｘ個のＰＣＰＣＨプリアンブリング・スクランブリング・コード（ＡＰＳＣ＃ｍ）中の何れか１つのＰＣＰＣＨプリアンブリング・スクランブリング・コード（ＡＰＳＣ＃ｉ）を利用して生成されるＰＣＰＣＨアクセス・プリアンブリング・コード（Ｃpre,n,s）をアクセス・プリアンブル（ＡＰ）に載せて、基地局に伝送する段階と、
ＡＰ−ＡＩＣＨ＃ｍを通して、端末機が、受信されたＡＰに含まれたシグネーチャと、ＰＣＰＣＨスクランブリング・コードの種類とを解読して、シグネーチャの使用可否を通知するＡＩを生成した基地局から、ＡＩを受信する段階と、
ＣＰＣＨを通して、端末機が、複数個のシグネーチャ（ＡＰ＃ｓ）中の何れか１つを利用して生成されたプリアンブル・シグネチャ・コード（Ｃa-acc、s）と、該当セルに許容されたｙ個のＰＣＰＣＨ−ＣＤプリアンブリング・スクランブリング・コード（ＣＤＳＣ＃ｍ）中の何れか１つのＰＣＰＣＨ−ＣＤプリアンブリング・スクランブリング・コード（ＣＤＳＣ＃ｉ）を利用して生成されるＰＣＰＣＨ−ＣＤアクセス・プリアンブリング・コード（Ｃc-cd,n,s）を衝突検出プリアンブル（ＣＤ）に載せて、基地局に伝送する段階と、
ＣＤ−ＡＩＣＨ＃ｍを通して、端末機が、衝突可否を検出するＣＤに対して衝突可否を通知するＡＩを生成した基地局から、ＡＩを受信する段階と、
端末機が承認されたシグネーチャにより決定されるチャンネル化コードと、ＰＲＡＣＨメッセージ部分のスクランブリング・コード（ＭＳＣ＃ｍ）を利用して、基地局に端末機のメッセージを伝送する段階を備えている。
【００９７】
本発明に係る移動通信システムの通信方法においては、ＡＰ−ＡＩＣＨ＃ｍは、ＡＰ−ＣＲＩＣＨ＃ｍを追加包含し、ＣＤ−ＡＩＣＨ＃ｍは、ＣＤ−ＣＲＩＣＭ＃ｍを追加的に行う。
【００９８】
【発明の実施の形態】
以下、本発明の実施の形態に対し、図面を用いて説明する。
本発明位置実施形態に係る移動通信システムの物理的チャンネル割当方法に対し、図１〜図９を参照して説明する。
【００９９】
ユーザ端末機又は装備（User Equipment；ＵＥ）では、次のような物理的チャンネル割当方法を利用して、アクセス・プリアンブル（以下、ＡＰと略称する）を生成して、生成されたＡＰを基地局に伝送する。
【０１００】
先ず、端末機は、１６個のシグネーチャ（ＡＰ＃ｓ、＃ｓ＝０、１、２、．．．、１５）中の何れか１つのシグネーチャを利用して生成されたプリアンブル・シグネーチャＣsig,s、及び該当セルに許容されたｘ個のＰＲＡＣＨプリアンブリング・スクランブリング・コード（ＳＣ＃ｍ、＃ｍ＝０、１、２、．．．、ｘ）中の何れか１つのＰＲＡＣＨプリアンブリング・スクランブリング・コードを利用してＡＰを伝送する。
ＳＣ＃ｍは、説明の便宜上、引用した表現であって、Ｓr-pre,nと同様な表現である。
【０１０１】
ｘは、該当セルの再使用因子を決定する数であって、システムの設計時に決定される場合もあり、その範囲は、１≦ｘ≦Ｘ（最大値）である。
例えば、ｘ＝１の場合は、再使用因子が考慮されない既存のシステムを表し、ｘ＝Ｘの場合は、各セル当たり割り当てられたＰＲＡＣＨプリアンブリング・スクランブリング・コード（ＳＣ＃ｍ）を全て使用する場合であって、再使用因子を最大限考慮したシステムになる。例えば、Ｘ＝１６であると、ｘの範囲は１≦ｘ≦１６になる。
【０１０２】
端末機が、ＰＲＡＣＨを通してＲＡＣＨを伝送するためにＡＰを生成するとき、実質的に使用し得るシグネーチャ（ＡＰ＃ｓ）と、ＰＲＡＣＨプリアンブリング・スクランブリング・コード（ＳＣ＃ｍ）とは、各該当ＲＡＣＨを伝送する度毎に制限することができる。  すなわち、ＡＰ＃ｓ及びＳＣ＃ｍは、プロトコルの上位レイヤーから与えられたアクセス・サービス・クラス（以下、ＡＳＣと略称する）により決定される。
【０１０３】
端末機が、実質的に使用し得るシグネーチャ（ＡＰ＃ｓ）と、ＰＲＡＣＨプリアンブリング・スクランブリング・コード（ＳＣ＃ｍ）と、がＡＳＣにより制限される場合、ＲＡＣＨ伝送のための物理的ランダムアクセスプロ過程が開始される以前に、上位レイヤーは、各ＡＳＣにより定義された多様な項目を端末機に知らせなければならない。
【０１０４】
多様な項目は、各ＡＳＣに対して定義された使用可能なシグネーチャ、ＲＡＣＨコード・チャンネル・グループ、ＲＡＣＨコード・チャンネル・グループ内の各ＲＡＣＨコード・チャンネルに関するＲＡＣＨサブチャンネル・グループのような情報を包含すべきである。
【０１０５】
ここで、ＲＡＣＨコード・チャンネル・グループは、全て１６（＝Ｘ）個のＲＡＣＨコード・チャンネル中の任意個のＲＡＣＨコード・チャンネルからなる集合を意味し、ＲＡＣＨサブチャンネル・グループ（ＲＡＣＨ  ｓｕｂ−ｃｈａｎｎｅｌ  ｇｒｏｕｐ）は、全て１２個のＲＡＣＨサブチャンネル中の任意個のＲＡＣＨサブチャンネルからなる集合を意味する。このとき、各ＲＡＣＨコード・チャンネルは、自分に属したサブチャンネルに対する定義を把握してある。すなわち、１６個のＲＡＣＨコード・チャンネルにそれぞれ属したＲＡＣＨサブチャンネル及びそれに該当するアクセス・スロットに対した定義を把握してある。ＲＡＣＨコード・チャンネルに属したＲＡＣＨサブチャンネル及びそれに該当するアクセス・スロットは、ＲＡＣＨコード・チャンネルに応じて、相違又は同様に定義することができる。
【０１０６】
図２は、本発明により、各ＲＡＣＨコード・チャンネルに属したＲＡＣＨサブチャンネル及びそれに該当するアクセス・スロットに対する定義が全てのＲＡＣＨコード・チャンネルに対して同一に定義された例を示したテーブルである。
【０１０７】
図３（Ａ）〜（Ｄ）、本発明によりＲＡＣＨコード・チャンネルに属したＲＡＣＨサブチャンネル及びそれに該当するアクセス・スロットに対する定義が全てのＲＡＣＨコード・チャンネルに対してそれぞれ定義された例を示した第１群のテーブルである。
【０１０８】
図４（Ａ）〜（Ｄ）、本発明によりＲＡＣＨコード・チャンネルに属したＲＡＣＨサブチャンネル及びそれに該当するアクセス・スロットに対する定義が全てのＲＡＣＨコード・チャンネルに対してそれぞれ定義された例を示した第２群のテーブルである。
【０１０９】
図示されたように、ＲＡＣＨコード・チャンネル（Ｃｏｄｅ−ｃｈａｎｎｅｌ＃０〜Ｃｏｄｅ−ｃｈａｎｎｅｌ＃１５）は、ＰＲＡＣＨプリアンブリング・スクランブリング・コード（ＳＣ＃０〜ＳＣ＃１５）とそれぞれ１：１の対応関係にある。
【０１１０】
従って、端末機がＰＲＡＣＨを通してＲＡＣＨを伝送しようとする場合、プロトコルの上位レイヤーでＡＳＣが設定されると、レイヤー１（物理的レイヤー）は、与えられたＡＳＣに属したシグネーチャ及びアクセス・スロットからランダムに何れか一つのシグネーチャ及びアクセス・スロットをそれぞれ選択する。その後、レイヤー１は、所定手順に沿ってＡＰを伝送する。このとき、ＡＰは、選択されたシグネーチャ、及びアクセス・スロットによって決定されたＰＲＡＣＨプリアンブリング・スクランブリング・コードを利用する。すなわち、選択されたスロットが、コード・チャンネル（Ｃｏｄｅ−ｃｈａｎｎｅｌ＃ｍ）に属したアクセス・スロットであると、該当ＡＰは、コード・チャンネル（Ｃｏｄｅ−ｃｈａｎｎｅｌ＃ｍ）と１：１の対応関係にあるＰＲＡＣＨプリアンブリング・スクランブリング・コード（ＳＣ＃ｍ）を使用する。
【０１１１】
このような過程を経てＡＰが端末機から基地局に伝送されると、基地局は、受信されたＡＰに使用されたシグネーチャと、ＰＲＡＣＨプリアンブリング・スクランブリング・コードの種類とを解読した後、ＡＩＣＨ＃ｍを通して端末機にＡＰの使用可否を通知する。
【０１１２】
基地局で端末機から受信したＡＰに対する肯定を終了すると、端末機は、承認されたシグネーチャにより決定されるチャンネル化コードと、承認されたＰＲＡＣＨプリアンブリング・スクランブリング・コードとが１：１の対応関係にあるＰＲＡＣＨメッセージ部分のスクランブリング・コードを利用して、メッセージ部分の伝送を行う。
【０１１３】
従って、一つのセル当たり全て１６（＝Ｘreuse_max）個のＰＲＡＣＨメッセージ部分のスクランブリング・コードが存在する。
【０１１４】
基地局は、ＡＩＣＨ、又は新しい物理的チャンネルのＲＲＩＣＨを通して、端末機から手順により伝送されたＡＰに対する許容可否を端末機に通知する。
【０１１５】
ｘ＝１であると、基地局は、端末機に該端末機から伝送されたシグネーチャの認証可否のみを知らせればよいので、従来のＡＩＣＨを利用する。
【０１１６】
ｘ≧２であると、基地局は、端末機に該端末機から伝送されたシグネーチャの認証可否だけでなく、シグネーチャの再使用可否（すなわち、使用されたＰＲＡＣＨプリアンブリング・スクランブリング・コードの認証可否）に対する情報も知らせるべきであるため、Ｒ（＝ｘ）個のＡＩＣＨを利用する。
【０１１７】
例えば、二つ以上の端末機がＲＡＣＨ伝送を行うために、基地局にＡＰを伝送すると、基地局は、異なるＰＲＡＣＨプリアンブリング・スクランブリング・コードを使用するＡＰに対して、それぞれ独立的なＡＩＣＨを利用して端末機に承認可否を通知する。すなわち、基地局は、ＰＲＡＣＨプリアンブリング・スクランブリング・コード（ＳＣ＃ｍ）を使用してＡＰを伝送した端末機に対し、ＡＩＣＨ＃ｍを通してＡＰの肯定事実を端末機に通知する。このとき、各ＡＩＣＨ＃ｍは、同様なダウンリンク・スクランブリング・コードと、異なるＯＶＳＦコードを使用し、便宜上、全てのＡＩＣＨ＃ｍのＳＦを同一にして設計することができる（すなわち、Ｃch,SFm,Km＝Ｃch,SFKm）。
【０１１８】
図５は、本発明により基地局から端末機にＡＩＣＨ＃ｍを伝送するシステムを示した構成図である。
【０１１９】
システムにおいては、図示されたように、端末機から伝送された、例えば、１６個のＡＰに対してその承認可否を通知するため、ＡＩＣＨ＃０〜ＡＩＣＨ＃１５をそれぞれ変換する直、並列変換器（Ｓ／Ｐ）と、複数個の乗算器及び加算器と、から構成される。
【０１２０】
以下、このように構成されたシステムの動作に対し、簡単に説明する。
直、並列変換器で変換された信号は、チャンネルコード（Ｃch,SFKm）が乗算され、伝送電力比を調節するための加重分｛ＧmI、ＧmQ｝が乗算された後、複素信号列に変換される。該複素信号列は、加算器で合算された後、同一のダウンリンク・スクランブリング・コード（Ｓdl,n）と、コーディングされた信号の伝送電力比を調節する利得（Ｇ）と、が乗算された後、各端末機に伝送される。
ここで、チャンネルコード（Ｃch,SFKm）中、ＫｍとＡＩＣＨ＃ｍの関係は、任意に設定することができる。
【０１２１】
図６及び図７は、本発明により基地局から端末機に伝送するＡＩＣＨ＃ｍのＯＶＳＦコード割当方法のコードツリーを示した構成図で、図示されたように、ＳＦが２〜２５６まで拡散されたコードツリーである。
従って、基地局は、ＳＦが２５６のときのチャンネルコードを伝送する。
【０１２２】
図８は、本発明に係るＡＩＣＨ構造を示した構成図である。
ＡＩＣＨ＃ｍの構造は任意に設定できるが、本発明では、特に、Ｒ＝１６、ＳＦ＝２５６の場合を例示する。すなわち、本発明に係るＡＩＣＨ＃ｍは、１６個のＡＩＣＨ（ＡＩＣＨ＃０、ＡＩＣＨ＃１、．．．、ＡＩＣＨ＃１５）を包含し、各ＡＩＣＨは、１５個のアクセス・スロット（ＡＳ＃０、ＡＳ＃１、．．．、ＡＳ＃１５）から構成され、その長さは約２０ｍｓ程度であり、一つのＡＳは、４０ビットの長さを有する。ＡＳは、３２ビット（ａ０、ａ１、ａ２、．．．、ａ３１）のＡＩ（Acquisition Indicator）部分と、８ビット（ａ３２、ａ３３、．．．、ａ３９）とは、伝送しない部分から構成される。ＡＩは、以前に端末機から伝送されたシグネーチャの使用可能可否を通知するために割り当てられたビットである。従って、端末機がＡＩ部分のビットを解析することで、アクセス・プリアンブルで使用されたシグネーチャの使用可能可否を判断する。
【０１２３】
ＡＩに含まれた（ａ0m、ａ1m、ａ2m、．．．、ａ31m）は、次の式（７）のように表れる。
【数１０】
0004669144.tif 000007
【０１２４】
ここで、ＡＩsmは、端末機がＡＰに載せて伝送したシグネーチャＡＰ＃ｓに対するＡＩを表し、｛＋１、−１、０｝中の何れか一つの値を有する。
又、ｂsjは、図９に図示したように定義される。
【０１２５】
図１０は、本実施形態に係る移動通信システムの通信手順を示したフローチャートである。
ｘ＝１であるとき、基地局は、端末機に該端末機から伝送されたシグネーチャの認証可否のみを通知すればよいので、従来のＡＩＣＨを利用する。
ｘ≧２であると、基地局は、端末機に該端末機から伝送されたシグネーチャの認証可否だけでなく、シグネーチャの再使用可否（すなわち、使用されたＰＲＡＣＨプリアンブリング・スクランブリング・コードの認証可否）に対する情報も通知すべきである。このため、ＲＲＩＣＨのような新しい補助チャンネルを使用する。
【０１２６】
例えば、二つ以上の端末機がＲＡＣＨ伝送のために、アクセス・プリアンブルを伝送する場合、同様なシグネーチャを使用するが、異なるＲＡＣＨプリアンブリング・スクランブリング・コードを使用するアクセス・プリアンブル（又は、異なるシグネーチャを使用するが、相互に同一のＰＲＡＣＨプリアンブリング・スクランブリング・コードを使用するアクセス・プリアンブル）を有することができる。このとき、基地局は、既存のＡＩＣＨに基づいてシグネーチャの認証可否を判断し、ＲＲＩＣＨに基づいてＰＲＡＣＨプリアンブリング・スクランブリング・コードの認証可否を判断する。
【０１２７】
図１１及び図１２は、ＲＲＩＣＨの物理的構造を示した構成図である。
ＲＲＩＣＨ（R-Reuse Indicator Channel）に使用するダウンリンク用スクランブリング・コードと、チャンネル区分コードとは任意に設定できるが、既存のＡＩＣＨで使用されるスクランブリング・コードと、チャンネル区分コードとを使用すると、構成上の複雑度を最小化することができる。例えば、ＡＩＣＨと、ＲＲＩＣＨとのスクランブリング・コードと、チャンネル区分コードとが同一であると仮定すると、図１１及び図１２のＲＲＩＣＨのＳＦは、２５６、ｋは８である。
【０１２８】
もし、より多い情報を伝送したい場合には、ＳＦを増加させるか、ＳＦは、そのまま維持して、ＡＩＣＨの伝送時間を短縮（すなわち、ＡＩＣＨの伝送ビット数を減少させる）し、ＲＲＩＣＨの伝送時間を増加（すなわち、ＲＲＩＣＨの伝送ビット数を増加させる）させればよい。
【０１２９】
図１１は、本実施形態により、ＰＲＡＣＨプリアンブリング・スクランブリング・コードの認証可否を含み、基地局が端末機に知らせたい情報を一つのフレーム単位に伝送する場合のＲＲＩＣＨを示した構成図である。図示されたように、各ＲＲＩＣＨは、１５個のアクセス・スロット（ＡＳ；ＡＳ＃０、ＡＳ＃１、．．．、ＡＳ＃１５）から構成され、その長さは約２０ｍｓ程度であり、一つのＡＳは、例えば、４０９６チップからなるトランスミッションオフ部分と、ＲＩ部分（ｂik、ｂik+1、ｂik+2、．．．、ｂik+k-1）とから構成される。
【０１３０】
端末機は、ＲＲＩＣＨのＲＩ部分（ｂik、ｂik+1、ｂik+2、．．．、ｂik+k-1）、例えば、｛ｂ0、ｂ1、．．．、  ｂ118、ｂ119｝k＝ｓのビットを解析して認証可否を確認する。このとき、各ビットを利用して認証信号を生成する方法は、３ＧＰＰのＡＩＣＨで行われた方法を利用することができる。
【０１３１】
図１２は、ＰＲＡＣＨプリアンブリング・スクランブリング・コードの認証可否を包んで基地局が端末機に知らせたい情報を各アクセス・スロット単位に伝送する場合のＲＲＩＣＨ構造を示した構成図である。図示されたように、各ＲＲＩＣＨは、１５個のアクセス・スロット（ＡＳ＃０、ＡＳ＃１、．．．、ＡＳ＃１５）から構成され、その長さは約２０ｍｓ程度であり、一つのＡＳは、例えば、４０９６チップからなるトランスミッションオフ部分と、ＲＩ部分（ｂio、 ｂi1、 ｂi2、．．．、ｂik-1）と、から構成される。
【０１３２】
端末機は、ＲＲＩＣＨのＲＩ部分（ｂio、ｂi1、ｂi2、．．．、ｂik-1）、例えば、｛ｂio、ｂi1、．．．、ｂi7｝  k＝sのビットを解析して認証可否を確認する。この場合、ＲＲＩＣＨとＡＩＣＨとの相互関係は、必要に応じて多様な方法で定義することができる。
【０１３３】
もし、基地局がＰＲＡＣＨプリアンブリング・スクランブリング・コードの認証可否を知らせるためにＲＲＩＣＨを使用した場合、ＲＲＩＣＨ上のＡＳ＃ｉに属した｛ｂio、ｂi1、．．．、ｂi7｝は、ＡＳ＃ｉの伝送期間中にオフされる４０９６チップ区間のＡＩＣＨ上に伝送されているＡＩ部分と相互関連をさせることができる。すなわち、端末機が使用したシグネーチャと、ＰＲＡＣＨプリアンブリング・スクランブリング・コードとの認証可否を確認するために、端末機に割り当てられたアクセス・スロットがＡＳ＃ｉであるとき、ＡＳ＃ｉに該当するＡＩＣＨ及びＲＲＩＣＨを解析して認証可否を判断することができる。このとき、ＡＩＣＨとＲＲＩＣＨとで認証された場合、端末機は、自分が伝送しようするＲＡＣＨメッセージ部分を伝送するようになる。
【０１３４】
一方、端末機が、ＰＲＡＣＨプリアンブリング・スクランブリング・コードの認証可否を知らせるためにＲＲＩＣＨを使用する場合、ＲＲＩＣＨの｛ｂio、ｂi1、．．．、ｂi7｝に使用されるビットと、ＲＩ（Ｒｅｕｓｅ  Ｉｎｄｉｃａｔｏｒ）とのマッピング関係は、多様に設定することができる。
【０１３５】
図１３〜図１５は、ＲＲＩＣＨの｛ｂio、ｂi1、．．．、ｂi7｝に使用される各ビットと、ＲＩ（Reuse Indicator）とのマッピング関係を示したテーブルである。
【０１３６】
ここで、ｍは、ｍ番目のＲＩ−シグネーチャパターン（ＲＩsignature#m）を意味し、ＲＩsignature#mは、ＰＲＡＣＨプリアンブリング・スクランブリング・コードＳＣ＃ｍの認証と関連するもので、次の式（８）のように表現される。
【数１１】
0004669144.tif 000008
【０１３７】
ここで、ＲＩmは、ＰＲＡＣＨプリアンブリング・スクランブリング・コード（ＳＣ＃ｍ）に対する認証を表すもので、｛＋１、−１、０｝中の何れか一つの値を有する。
【０１３８】
図１３及び図２５は、ｘ＜９のとき、自由にＡＳＣを指定することができるが、ｘ＞８のときには制限されるべきである。図６は、ｘ＞８のときにも、制限無しにＡＳＣを指定することができる。
【０１３９】
一方、本発明に係る第１、第２の各実施例においては、端末機から伝送されたアクセス・プリアンブルに対する許容可否を、基地局がＡＩＣＨを通して通知する処理過程で相違する。このとき、ＡＩＣＨの構造は、ｘ＝１の場合と、ｘ＞１の場合とで相異である。
【０１４０】
すなわち、ｘ＝１であると、基地局は、端末機に該端末機から伝送されたシグネーチャの認証可否のみを知らせればよいので、従来のＡＩＣＨを利用する。
【０１４１】
【数１２】
0004669144.tif 000009
【０１４２】
ここで、ＡＩｓは、端末機がＡＰに載せて伝送したシグネーチャ（ＡＰ＃ｓ）に対するＡＩを表すもので、｛＋１、−１、０｝中の何れか一つの値を有する。
又、ｂsjは、図１６に図示したように定義される。
【０１４３】
更に、ｘ＞１である場合、基地局は、端末機から伝送されたシグネーチャの認証可否だけでなくＰＲＡＣＨプリアンブリング・スクランブリング・コードの認証可否も知らせなければならない。このためのＡＩＣＨ構造は、図１７に示したようになる。
【０１４４】
図１７は、ｘ＞１の場合、基地局が端末機にＰＲＡＣＨプリアンブリング・スクランブリング・コードの認証可否を通知するためのＡＩＣＨ構造を示した構成図である。
【０１４５】
各ＡＩＣＨは、１５個のアクセス・スロット（ＡＳ＃０、ＡＳ＃１、．．．、ＡＳ＃１５）から構成され、その長さは約２０ｍｓ程度であり、一つのＡＳは、３２ビットのＡＩ及びＲＩ部分と、８ビットの伝送されない部分とから構成される。
【０１４６】
ここで、ＡＩ及びＲＩ部分の｛ａ0、ａ1、．．．、ａ15｝は、使用されたシグネーチャＡＰ＃ｓの認証可否を通知するＡＩ部分で、｛ｂ0、ｂ1、．．．、ｂ15｝は、使用されたＰＲＡＣＨプリアンブリング・スクランブリング・コードＳＣ＃ｍの認証可否を通知するＲＩ部分である。
【０１４７】
ここで、ＡＩ部分を表すビットの｛ａ0、ａ1、．．．、ａ15｝は、次の式（１０）に表れる。
【数１３】
0004669144.tif 000010
【０１４８】
ここで、ＡＩｓは、使用されたシグネーチャＡＰ＃ｓに対するＡＩを表すもので、  ＋１、−１、０中の何れか一つの値を有する。また、ｃs、jは、図１８に示したように定義される。
【０１４９】
ＲＩ部分を表すビットの｛ｂ0、ｂ1、．．．、ｂ15｝は、次の式（１１）に表される。
【数１４】
0004669144.tif 000011
【０１５０】
ここで、ＲＩmは、使用されたＰＲＡＣＨプリアンブリング・スクランブリング・コードＳＣ＃ｍに対する認証を表すもので、｛＋１、−１、０｝中の何れか一つの値を有する。また、Ｃm,jは、図１８に示したように定義される。
【０１５１】
以上のようなＲＡＣＨ及びＡＩＣＨのチャンネル割当方式を利用して、３ＧＰＰシステムの又他のランダムアクセスチャンネルとしてのＣＰＣＨに対する物理的割当方法を説明する。
【０１５２】
すなわち、実施形態のＲＡＣＨをＣＰＣＨに適用すると、ＡＩＣＨは、ＡＰ−ＡＩＣＨ及びＣＤ−ＡＩＣＨに対応する。これをより詳しく説明する。
【０１５３】
図１９は、本発明に係る移動通信システムの通信手順を示したフローチャートである。
ＰＣＰＣＨ伝送のため、端末機において１６個のシグネーチャＡＰ＃ｓ（＃ｓ＝０、１、．．．、１５）と、１セル当たりｘ個のＰＣＰＣＨスクランブリング・コードとを割り当てる場合、ｘ個のＰＣＰＣＨスクランブリング・コードをｙ個のＣＰＣＨコード・チャンネルに分類する。各ＣＰＣＨコード・チャンネルに属した全てのＰＣＰＣＨスクランブリング・コードは、ＰＣＰＣＨメッセージ部分のスクランブリング・コードを生成するときに使用され、その中、２個を選択してＰＣＰＣＨアクセス・プリアンブリング・スクランブリング・コードと、ＰＣＰＣＨ  ＣＤアクセス・プリアンブリング・スクランブリング・コードとを生成する。
【０１５４】
例えば、ｘ＝６４の場合、全て４個のＣＰＣＨコード・チャンネルが発生される。その各ＣＰＣＨコード・チャンネルは、１６個ずつＰＣＰＣＨスクランブリング・コードを有する。
すなわち、全ての６４（＝ｘ）個のＰＣＰＣＨスクランブリング・コード（Ｃlong,l,n（ｉ））は、ゴールド・シーケンス（Gold sequence）のような実数値を有するロングコードとなる。
【０１５５】
ここで、ｉは、コードを構成する全体ビット中のｉ番目のビットを表し、ｎは、説明の便宜上、｛０、１、．．．、６３｝範囲の整数である。
Ｃlong,l,n（ｉ）は次のように４（＝ｙ）個のＣＰＣＨコード・チャンネルに分類される。
【０１５６】
Code-channel#0：Ｃlong,l,n（ｉ）、n=0,1,2,...,15  ---  （１２）
Code-channel#1：Ｃlong,l,n（ｉ）、n=16,17,...,31  ---  （１３）
Code-channel#2：Ｃlong,l,n（ｉ）、n=32,33,...,47  ---  （１４）
Code-channel#3：Ｃlong,l,n（ｉ）、n=48,49,...,63  ---  （１５）
【０１５７】
端末機が、Ｃlong,l,n（ｉ）を利用すると、一つのセル当たり６４個のＰＣＰＣＨメッセージ部分スクランブリング・コード（ＭＳＣ＃ｎ、ｎ＝０、１、．．．、６３）を生成する。従って、ＭＳＣ＃ｎは、次式（１６）及び式（１７）のように定義することができる。
【０１５８】
MSC#n=Clong,n(i+8192)、i=0、1、2、...、38399 --- （１６）
MSC#n=Clong,n(i+4096)、i=0、1、2、...、38399 --- （１７）
【０１５９】
上式（１６）及び式（１７）のＣlong,n（ｉ）は、Ｃlong,l,n（ｉ）を利用して形成された複素数値を有するロングコードである。
【０１６０】
一方、ＰＣＰＣＨメッセージ部分スクランブリング・コードＭＳＣ＃ｎは、所定の複素数値を有するショットコード（ｓｈｏｔ  ｃｏｄｅ；Ｃshort、l,n（ｉ））を利用して、次式（１８）のように生成することもできる。
MSC#n=Cshort,n(i),i=0,1,2,...,38399 --- （１８）
【０１６１】
端末機が、Ｃshort,n（ｉ）を利用すると、一つのセル当たりに４（＝ｙ）個ずつのＰＣＰＣＨアクセス・プリアンブリング・スクランブリング・コード（ＡＰＳＣ＃ｍ、ｍ＝０、１、２、３）及び、４（＝ｙ）個ずつのＰＣＰＣＨ  ＣＤアクセス・プリアンブリング・コード（ＣＤ−ＡＰＳＣ＃ｍ、ｍ＝０、１、２、３）を、例えば、次式（１９）及び式（２０）のように定義することができる。
【０１６２】
APSC#m=Clong,l,n(i),i=0,1,2,...,4095  ---  （式１９）
CD-APSC#m=Clong,l,n(i),i=0,1,2,...,4095 --- （式２０）
【０１６３】
上式（１９）及び式（２０）において、ｎ及びｍの関係は任意に決めることができるが、ＡＰＳＣ＃ｍ及びＣＤ−ＡＰＳＣ＃ｍは他のＣlong,l,n（ｉ）により定義すべきである。
【０１６４】
本発明に関する説明を簡単にするために、上式（１９）及び式（２０）を次式（２１）及び式（２２）に代替して説明する。
APSC#m=Clong,l,16×m(i),i=0,1,2,...,4095  ---  （２１）
CD-APSC#m=Clong,l,16×m+1(i),i=0,1,2,...,4095 --- （２２）
ここで、ＡＰＳＣ＃ｍ（ｍ＝０、１、２、３）及びＣＤ−ＡＰＳＣ＃ｍ（ｍ＝０、１、２、３）は、各々Ｃｏｄｅ−ｃｈａｎｎｅｌ＃ｍ（ｍ＝０、１、２、３）と１：１の対応関係にある。
【０１６５】
例えば、ＡＰＳＣ＃ｍがＣｏｄｅ−ｃｈａｎｎｅｌ＃ｍに対して１：１に対応すると仮定して、すなわち、端末機がＡＰＳＣ＃ｍを使用して基地局から肯定応答を受けると、ＣＰＣＨメッセージ部分を伝送するためのＰＣＰＣＨメッセージ部分スクランブリング・コードは、（Ｃｏｄｅ−ｃｈａｎｎｅｌ＃ｍ）に属するＭＳＣ＃ｎを基地局に伝送する。このとき、それぞれのＣＰＣＨコード・チャンネルに属する各コードは、次式（２３）〜式（２６）のように定義される。
【０１６６】
Code-channel#0:APSC#0、CD-APSC#0、MSC#n、Clong,l,n(i) --- （２３）
ｎ＝０、１、２、．．．、１５
Code-channel#1:APSC#1、CD-APSC#1、MSC#n、Clong,l,n(i) --- （２４）
ｎ＝１６、１７、．．．、３１
Code-channel#2:APSC#2、CD-APSC#2、MSC#n、Clong,l,n(i) --- （２５）
ｎ＝３２、３３、．．．、４７
Code-channel#3:APSC#3、CD-APSC#3、MSC#n、Clong,l,n(i) --- （２６）
ｎ＝４８、４９、．．．、６３
【０１６７】
ユーザ端末機または装備は、次のような過程を経由してＡＰを生成して基地局に伝送する。
【０１６８】
端末機は１６個のシグネーチャＡＰ＃ｓ（ｓ＝０、１、２、．．．、１５）中何れか１つのシグネーチャを利用して生成されたプリアンブル・シグネーチャ（Ｃsig,s）及び該当セルに許容されたｘ個のＡＰＳＣ＃ｍ（ｍ＝０、１、．．．、ｘ）中何れか１つのＡＰＳＣ＃ｍを利用してＡＰを基地局に伝送する。ここで、ｘは該当セルの再使用因子を意味する数で、システムを設計するとき決定され、その範囲は、１≦ｘ≦Ｘ（最大値）である。
【０１６９】
このとき、ｘ＝１であると、再使用因子が考慮されてない既存のシステムである。
また、ｘ＝Ｘであると、各セル当たりに割り当てられたＰＣＰＣＨスクランブリング・コードを全て使用する場合であって、再使用因子が最大限に考慮されたシステムである。例えば、Ｘが４であると仮定すると、ｘは１≦ｘ≦４の範囲にある。
【０１７０】
端末機が、ＣＰＣＨをＰＣＰＣＨを介して基地局に伝送するためにＡＰ及びＣＤを生成するとき、実質的に使用可能なＡＰ＃ｓ、ＡＰＳＣ＃ｍ、ＣＤ−ＡＰＳＣ＃ｍは、それぞれのＣＰＣＨを伝送する度毎に制限することができる。従って、端末機は、ＣＰＣＨ伝送のためのＣＰＣＨアクセス手続きが開始される前に、使用可能なＡＰ＃ｓ、ＡＰＳＣ＃ｍ、ＣＤ−ＡＰＳＣ＃ｍ、ＣＰＣＨサブチャンネル・グループ及びＭＳＣ＃ｎのような各事項を、プロトコルの上位レイヤーから通知されるべきである。
【０１７１】
このとき、該当のＣＰＣＨを伝送するために、上位レイヤーから与えられるアクセス・サービス・クラス（ＡＳＣ）概念を適用することができる。すなわち、端末機は、ＣＰＣＨ伝送を行うためのＣＰＣＨアクセス手続きが開始される前に、各ＡＳＣにより定義されている、使用可能なシグネーチャ、ＣＰＣＨコード・チャンネル・グループ、ＣＰＣＨコード・チャンネル・グループ内の各ＣＰＣＨコード・チャンネルに関するＣＰＣＨサブチャンネル・グループのような各事項を、プロトコルの上位レイヤーに通知すべきである。ここで、ＣＰＣＨコード・チャンネル・グループは、総４（＝Ｘreuse_max）個のＣＰＣＨコード・チャンネル中、幾つかにより構成された集合を意味し、ＣＰＣＨサブチャンネル・グループは、全体のＣＰＣＨサブチャンネル中、幾つかにより構成された集合を意味する。
【０１７２】
各ＣＰＣＨコード・チャンネルは、自分に属する各サブチャンネルに対する定義情報を把握している。すなわち、４個のＣＰＣＨコード・チャンネルはそれらに属する各ＣＰＣＨサブチャンネル及びそれらに該当するアクセス・スロットに対する定義情報を有する。ＣＰＣＨコード・チャンネルに属する各ＣＰＣＨサブチャンネル及びそれらに該当するアクセス・スロットに対する定義は、ＣＰＣＨによって、相異するか、または、同じである。
【０１７３】
各ＣＰＣＨコード・チャンネルに属する各ＣＰＣＨサブチャンネル及びそれらに該当するアクセス・スロットに対する定義は、図２に示したように、全てのＣＰＣＨコード・チャンネルに対して同様に構成することができる。
【０１７４】
また、各ＣＰＣＨコード・チャンネルに属する各ＣＰＣＨサブチャンネル及びそれらに該当するアクセス・スロットに対する定義は、図３（Ａ）及び図４（Ａ）に示したように、各ＣＰＣＨコード・チャンネルに対して各々相異するように構成することができる。
【０１７５】
例えば、端末機がＰＣＰＣＨを介してＣＰＣＨを基地局に伝送する場合、端末機が該当ＣＰＣＨを伝送するために上位レイヤーで使用可能なコード及びシグネーチャを決定すると、レイヤー１（物理的レイヤー）は使用可能な（または、与えられたＡＳＣに属する）各シグネーチャ及びアクセス・スロット中からランダムに１つのシグネーチャ及び１つのアクセス・スロットを選択する。次いで、レイヤー１は、決まった手順によってＡＰを伝送する。このとき、ＡＰは選択されたシグネーチャ及びスロットにより決定されたＰＣＰＣＨアクセス・プリアンブリング・スクランブリング・コードを利用する。すなわち、選択されたアクセス・スロットがＣｏｄｅ−ｃｈａｎｎｅｌ＃ｍに属するアクセス・スロットであると、該当ＡＰはＣｏｄｅ−ｃｈａｎｎｅｌ＃ｍに属するＡＰＳＣ＃ｍを使用する。
【０１７６】
基地局は、受信されたＡＰで使用されたシグネーチャ（ＡＰ＃ｓ）及びＡＰＳＣ＃ｍの種類を解読した後、シグネーチャ（ＡＰ＃ｓ）及びＡＰＳＣ＃ｍが使用可能であるか否かをＡＰ−ＡＩＣＨを介して端末機に通知する。
【０１７７】
基地局からＡＰ−ＡＩＣＨ上で肯定信号が発見されると、端末機は、衝突可否を判断するために再びＣＤを伝送する。このとき、ＣＤは使用可能な（または、与えられたＡＳＣに属する）シグネーチャ及びアクセス・スロットら中ランダムに１つのシグネーチャ及び１つのアクセス・スロットを選択し、その選択方式はＡＰを選択して伝送するときと同様である。
【０１７８】
端末機からＣＤを受信した基地局が衝突可否に関する情報をＣＤ−ＡＩＣＨを介して端末機に通知する方法は、次のような２つの方法がある。
１）各ＡＰ−ＡＩＣＨ及び各ＣＤ−ＡＩＣＨは同様の一つのダウンリンク・スクランブリング・コードを共通使用し、全種類のＡＩＣＨは相互に異なるＯＶＳＦコードをチャンネル化コードとして使用する。すなわち、ＡＰ−ＡＩＣＨ＃ｍ及びＡＰ−ＡＩＣＨ＃ｍのチャンネル化コードＣAPch,SFKmは１：１の対応関係で、ＣＤ−ＡＩＣＨ＃ｍ及びＣＤ−ＡＩＣＨ＃ｍのチャンネル化コードＣCDch,SFKmも１：１の対応関係である。ここで、任意のＣAPch,SFKm及びＣCDch,SFKmは相互に相異する。
２）各ＡＰ−ＡＩＣＨは相互に同じ一つのダウンリンク・スクランブリング・コードを共通使用し、各ＣＤ−ＡＩＣＨも相互に同じ一つのダウンリンク・スクランブリング・コードを共通使用することができる。しかし、２）の場合であると、各ＡＰ−ＡＩＣＨが使用するダウンリンク・スクランブリング・コードと各ＣＤ−ＡＩＣＨが使用するダウンリンク・スクランブリング・コードとは異るべきで、全てのＡＰ−ＡＩＣＨは相互に異なるＯＶＳＦコードをチャンネル化コードとして使用すべきで、全てのＣＤ−ＡＩＣＨも相互に異なるＯＶＳＦコードをチャンネル化コードとして使用する。すなわち、ＡＰ−ＡＩＣＨ＃ｍ及びＡＰ−ＡＩＣＨ＃ｍのチャンネル化コードＣAPch,SFKmは１：１の対応関係で、ＣＤ−ＡＩＣＨ＃ｍ及びＣＤ−ＡＩＣＨ＃ｍのチャンネル化コードＣCDch,SFKmも１：１の対応関係である。ここで、任意のＣAPch,SFKm及びＣCDch,SFKmは双方同一であるか、または、相互に異なる。
【０１７９】
１）のように、ＡＰ−ＡＩＣＨ及びＣＤ−ＡＩＣＨが双方同一のスクランブリング・コード及び相互に異なる種類のチャンネル化コードを使用する方法を説明すると次の通りである。
【０１８０】
もし、伝送したＡＰ及びＣＤが全て承認されるとすると、端末機はチャンネル化コード及びＡＰから承認を受けたシグネーチャＡＰ＃ｓ及びＡＰＳＣ＃ｍにより決定されるＰＣＰＣＨメッセージ部分スクランブリング・コード（ＭＳＣ＃ｎ）を次式（２７）を利用して決定する。
【数１５】
0004669144.tif 000012
【０１８１】
端末機が、上述した過程を経由してＡＰ及びＣＤを基地局に伝送すると、その基地局はＡＰ−ＡＩＣＨ及びＣＤ−ＡＩＣＨを介してＡＰ及びＣＤの許容可否を各々通知する。
【０１８２】
ｘ＝１であると、基地局は、端末機が伝送したシグネーチャの認証可否だけを通知すればよく、よって、既存のＡＰ−ＡＩＣＨ及びＣＤ−ＡＩＣＨを使用しても良い。
【０１８３】
ｘが２以上であると、基地局は、シグネーチャの認証可否だけでなくシグネーチャの再使用可否（すなわち、使用されたＰＣＰＣＨスクランブリング・コードの認証可否）に対する情報も、次のような２つの方法で通知する。
【０１８４】
１）Ｒ（＝ｘ）個を利用したＡＰ−ＡＩＣＨの伝送
２個以上の端末機がＣＰＣＨを伝送するためにＡＰを伝送した場合、相互に異なるＰＣＰＣＨアクセス・プリアンブリング・スクランブリング・コードを使用するＡＰに対してはそれぞれ独立的なＡＰ−ＡＩＣＨを利用して承認可否を通知する。すなわち、ＰＣＰＣＨアクセス・プリアンブリング・スクランブリング・コードＡＰＳＣ＃ｍを使用したＡＰに対する承認可否はＡＰ−ＡＩＣＨ＃ｍを介して通知する。
２）Ｒ（＝ｘ）個を利用したＣＤ−ＡＩＣＨの伝送
同様に、２個以上の端末機がＣＰＣＨを伝送するためにＣＤを伝送した場合、相互に異なるＰＣＰＣＨ  ＣＤアクセス・プリアンブリング・スクランブリング・コードを使用するＣＤに対してはそれぞれ独立的なＣＤ−ＡＩＣＨを利用して承認可否を通知する。すなわち、ＰＣＰＣＨ  ＣＤアクセス・プリアンブリング・スクランブリング・コードＣＤ−ＡＰＳＣ＃ｍを使用したＣＤに対する承認可否は、ＣＤ−ＡＩＣＨ＃ｍを介して通知する。
【０１８５】
各ＡＩＣＨが同様のダウンリンク・スクランブリング・コード及び相互に異なるＯＶＳＦコードを使用すると仮定すると、全てのＡＩＣＨのＳＦがＣAPch,SF,m,km＝ＣAPch,SF,m,kmで、ＣCDch,SF,m,km＝ＣCDch,SF,m,kmのように同じである。
【０１８６】
本実施形態では、Ｒ＝４、ＣAPch,SF,km＝ＣAPch,SF,kmで、ＣCDch,SF,km＝ＣCDch,SF,kmである場合に対して説明する。
【０１８７】
図２０は、基地局が４（＝Ｒ）個のＡＰ−ＡＩＣＨを伝送するためのシステムを示した構成図で、端末機から伝送された、例えば、４個のＡＰに対してその承認可否を通知するための、各ＡＰ−ＡＩＣＨ＃ｍ（ｍ＝０、１、２、３）をそれぞれ変換する複数個の直、並列変換器（Ｓ／Ｐ）と、複数個の乗算器及び加算器と、により構成される。
【０１８８】
このように構成されたシステムの動作を簡単に説明する。
直、並列変換器により変換された各信号は、チャンネルコード（ＣAPch,SF,km）が乗算され、伝送電力比を調節する加重値｛ＡＰＧmI、ＡＰＧmQ｝が乗算された後、それぞれ複素信号列に変換される。各複素信号列は加算器により加算された後、同様のダウンリンク・スクランブリング・コード（Ｓdl,n）と、コーディングされた信号の伝送電力比を調節する利得（ＡＰＧ）と、が乗算された後、各端末機に伝送される。
【０１８９】
このとき、ＣAPch,SF,m、kmのｋｍとＡＰ−ＡＩＣＨ＃ｍとの関係は、任意に決定することができる。
【０１９０】
図２１は、基地局が４（＝Ｒ）個のＣＤ−ＡＩＣＨを伝送するためのシステムを示した構成図で、端末機から伝送された、例えば、４個のＣＤに対してその承認可否を通知するための、ＣＤ−ＡＩＣＨ＃ｍ（ｍ＝０、１、２、３）をそれぞれ変換する複数個の直、並列変換器（Ｓ／Ｐ）と、複数個の乗算器及び加算器とにより構成される。
【０１９１】
このように構成されたシステムの動作を簡単に説明する。
各直、並列変換器により変換された信号は、チャンネルコード（ＣCDch,SF,km）が乗算され、伝送電力比を調節する加重値｛ＣＤＧmI、ＣＤＧmQ｝が乗算された後、それぞれ複素信号列に変換される。各複素信号列は加算器により加算された後、同様のダウンリンク・スクランブリング・コード（Ｓdl,n）と、コーディングされた信号の伝送電力比を調節する利得（ＣＤＧ）と、が乗算されて、各端末機に伝送される。
このとき、ＣCDch,SF,m、kmのｋｍとＣＤ−ＡＩＣＨ＃ｍとの関係は任意に決定することができる。
【０１９２】
図２２及び図２３は、基地局が端末機に伝送するＡＰ−ＡＩＣＨ＃及びＣＤ−ＡＩＣＨ＃のためのＯＶＳＦコード割当方法のコードツリーを示した構成図で、ＳＦが２から２５６まで拡散されたコードツリーである。
そして、図２４は、本発明実施形態に係るＡＩＣＨ構造を示した構成図で、ＡＰ−ＡＩＣＨ＃０〜ＡＰ−ＡＩＣＨ＃３、または、ＣＤ−ＡＩＣＨ＃０〜ＣＤ−ＡＩＣＨ＃３がそれぞれ同様で、Ｒ＝４、ＳＦ＝２５６である場合を示したものである。
【０１９３】
図示されたように、ＡＰ−ＡＩＣＨ＃ｍまたはＣＤ−ＡＩＣＨ＃ｍは、４個のＡＰ−ＡＩＣＨ＃０〜ＡＰ−ＡＩＣＨ＃３、またはＣＤ−ＡＩＣＨ＃０〜ＣＤ−ＡＩＣＨ＃３を包含し、それぞれのＡＰ−ＡＩＣＨ＃ｍまたはＣＤ−ＡＩＣＨ＃ｍは、１５個のアクセス・スロット（ＡＳ＃０、ＡＳ＃１、．．．、ＡＳ＃１５）により構成され、その長さは２０ｍｓ程度で、一つのＡＳは４０ビットの長さを有する。ＡＳは、３２ビット（ａ０、ａ１、ａ２、．．．、ａ３１）のＡＩ部分と、８ビット（ａ３２、ａ３３、．．．、ａ３９）の伝送しない部分と、により構成される。ＡＩは、以前に端末機が伝送したシグネーチャの使用可能可否を通知するために割り当てられたビットである。従って、端末機がＡＩ部分のビットを解析することによって、アクセス・プリアンブルで使用されたシグネーチャの使用可能可否を判断する。
【０１９４】
ここで、｛ａ0m、ａ1m、．．．、ａ31m｝は、次式（２８）のように表現することができる。
【数１６】
0004669144.tif 000013
【０１９５】
ここで、ＡＩsmは、ＡＰ−ＡＩＣＨ＃ｍの場合、ＡＰ−ＡＰＳＣ＃ｍを利用するＡＰに使用されたシグネーチャＡＰ＃ｓに対するＡＩを示し、｛＋１、−１、０｝中何れか一つの値を有する。また、ＣＤ−ＡＩＣＨ＃ｍの場合、ＣＤ−ＡＰＳＣ＃ｍを利用するＣＤに使用されたシグネーチャＡＰ＃ｓに対するＡＩを示す。
【０１９６】
また、ｂs、jは、図２５に示した表のようで定義することができる。
図２６は、本発明に係る移動通信システムの通信手順を示したフローチャートである。
【０１９７】
ＣＲＩＣＨのような補助チャンネルを利用してＡＰ及びＣＤの認証可否を通知する。
２個以上の端末機がＣＰＣＨを伝送するためにＡＰ及びＣＤを伝送した場合、シグネーチャに対する認証可否は、通常のＡＰ−ＡＩＣＨ及びＣＤ−ＡＩＣＨに基づいて判断する。すなわち、ＰＣＰＣＨプリアンブリング・スクランブリング・コード（ＰＣＰＣＨアクセス・プリアンブリング・スクランブリング・コード及びＰＣＰＣＨ  ＣＤアクセス・プリアンブリング・スクランブリング・コードを通称する）の認証可否は、ＡＰ−ＣＲＩＣＨ及びＣＤ−ＣＲＩＣＨに基づいて判断する。
【０１９８】
ＡＰ−ＣＲＩＣＨ及びＣＤ−ＣＲＩＣＨは、上述したように、ＡＰ−ＡＩＣＨ及びＣＤ−ＡＩＣＨに対応する。
ＣＲＩＣＨの物理的構造は、図１１及び図１２に示したものと同じである。
各ＣＲＩＣＨのために使用するダウンリンク用スクランブリング・コード及びチャンネル区分コードは任意に設定することができるが、通常のＡＰ−ＡＩＣＨ及びＣＤ−ＡＩＣＨで使用されるスクランブリング・コード及びチャンネル区分コードをそれぞれＡＰ−ＣＲＩＣＨ及びＣＤ−ＣＲＩＣＨのために使用すると、ハードウェアの複雑度を最小化することができる。
【０１９９】
本発明実施形態を簡単に説明するために、ＡＩＣＨ及びＣＲＩＣＨのスクランブリング・コードとチャンネル区分コードとが同様であると仮定すると、図１１及び図１２に示したように、ＣＲＩＣＨのＳＦは２５６で、ｋは８になる。
もし、一層多くの情報を伝送することを所望する場合は、ＳＦを増加させるか、または、ＳＦはそのままにする代わりＡＩＣＨの伝送時間を短縮（すなわち、ＡＩＣＨの伝送ビット数を減らす）させてＣＲＩＣＨの伝送時間を増加（すなわち、ＣＲＩＣＨの伝送ビット数を増やす）させる。
【０２００】
図１１に示したように、ＣＲＩＣＨは、ＰＣＰＣＨプリアンブリング・スクランブリング・コードの認証可否を含めて基地局が端末機に通知しようとする情報を１フレーム単位で伝送することができる。このとき、端末機が、｛ｂo、ｂ1、ｂ2、．．．、ｂ14k＋k-1｝＝｛ｂo、ｂ1、ｂ2、．．．、ｂ119｝｜k＝8の各ビットを利用して認証信号を生成する方法は、３ＧＰＰのＡＩＣＨを使用する方法を使用することができる。
【０２０１】
また、図１２に示したように、ＣＲＩＣＨは、ＰＣＰＣＨプリアンブリング・スクランブリング・コードの認証可否を含めて基地局が端末機に通知しようとする情報を各アクセス・スロット単位で伝送することができる。すなわち、端末機はＡＳ＃ｉに対する情報を｛ｂio、ｂi1、ｂi2、．．．、ｂik-1｝＝｛ｂio、ｂi1、ｂi2、．．．、ｂi7｝｜k＝8のビットを利用して解析する。このような場合、ＣＲＩＣＨとＡＩＣＨとの相互関係は、必要に応じて多様な方法で定義することができる。もし、ＰＣＰＣＨプリアンブリング・スクランブリング・コードの認証可否を通知するためにＣＲＩＣＨを使用する場合、ＣＲＩＣＨ上のＡＳ＃ｉに属する｛ｂio、ｂi1、ｂi2、．．．、ｂi7｝は、ＡＳ＃ｉの伝送期間中オフされている４０９６チップの間にＡＩＣＨ上に伝送されているＡＩ部分と相互関連を有することができる。すなわち、端末機が使用したシグネーチャ及びＰＣＰＣＨプリアンブリング・スクランブリング・コードの認証可否を確認するように端末機に割り当てられたアクセス・スロットがＡＳ＃ｉである時、ＡＳ＃ｉに該当するＡＩＣＨ及びＣＲＩＣＨを解析して認証可否が分かる。このとき、ＡＩＣＨ及びＣＲＩＣＨから同時に全て認証を受けた場合、端末機がＣＰＣＨメッセージ部分を基地局に伝送しようとすると、式（２７）により決定されたＰＣＰＣＨメッセージ部分スクランブリング・コードを利用して伝送する。
【０２０２】
ＰＣＰＣＨプリアンブリング・スクランブリング・コードの認証可否を通知するために、ＣＲＩＣＨを使用する場合、ＣＲＩＣＨの｛ｂio、ｂi1、ｂi2、．．．、ｂi7｝に使用される各ビットとＲＩ（ＲＩ：Ｒｅｕｓｅ  Ｉｎｄｉｃａｔｏｒ）とのマッピング関係は、多様である。
【０２０３】
図２７及び図２８は、ＰＣＰＣＨプリアンブリング・スクランブリング・コードの認証可否を通知するためにＣＲＩＣＨを使用する場合、ＣＲＩＣＨの｛ｂio、ｂi1、ｂi2、．．．、ｂi7｝に使用される各ビットとＲＩ（ＲＩ：ＲｅｕｓｅＩｎｄｉｃａｔｏｒ）とのマッピング関係を示した表である。
【０２０４】
ここで、ｍは、ｍ番目のＲＩ−ｓｉｇｎａｔｕｒｅパターン（ＲＩsignature#m）のｍを意味し、ＲＩsignature#mは、ＰＣＰＣＨプリアンブリング・スクランブリング・コード（すなわち、ＡＰＳＣ＃ｍ及びＣＤ−ＡＰＳＣ＃ｍ）の認証を意味する。
【０２０５】
図２７が使用される場合、ＡＩＣＨのｂikは次式（２９）のように表現することができる。
【数１７】
0004669144.tif 000014
【０２０６】
ここで、ＲＩmは、ＰＣＰＣＨプリアンブリング・スクランブリング・コード（すなわち、ＡＰＳＣ＃ｍまたはＣＤ−ＡＰＳＣ＃ｍ）に対する認証を示して｛＋１、−１、０｝中何れか１つの値を有する。
【０２０７】
一方、図２８に示したように、ＡＩＣＨのｂikを、各部分別に認証の意味で使用することができる。すなわち、｛ｂio、ｂi1｝、｛ｂi2、ｂi3｝、｛ｂi4、ｂi5｝、｛ｂi6、ｂi7｝の値が｛１、１｝であるか、または、｛０、０｝であるかによって順次的にＲＩsignature#0〜ＲＩsignature#3の認証可否を通知する。
【０２０８】
また、端末機が伝送したＡＰ及びＣＤに対し、基地局は、ＡＩＣＨを介して許容可否を通知する。
ｘ＝１の場合、基地局は、端末機が伝送したシグネーチャの認証可否だけを通知すれば良いので、既存のＡＩＣＨ方式をそのまま適用することができる。
ここで、｛ａ0、ａ1、ａ2、．．．、ａ31｝は、次式（３０）のように表現することができる。
【数１８】
0004669144.tif 000015
【０２０９】
ここで、ＡＩsは、使用されたシグネーチャＡＰ＃ｓに対するＡＩを意味して｛＋１、−１、０｝中何れか一つの値を有する。
また、ｂs、jは、図９（一般のＡＩＣＨのシグネーチャパターン表）に示した通りである。
ｘ＞１であると、基地局は、端末機が伝送したシグネーチャの認証可否だけではなく、ＰＣＰＣＨプリアンブリング・スクランブリング・コードの認証可否も通知すべきである。
このときは、図１７に示した構造のＡＩＣＨが使用される。
【０２１０】
｛ａ0、ａ1、．．．、ａ15｝は、使用されたシグネーチャＡＰ＃ｓの認証可否を通知するＡＩ部分で、｛ｂ0、ｂ1、．．．、ｂ15｝は、使用されたＰＣＰＣＨプリアンブリング・スクランブリング・コードの認証可否を示すＲＩ部分である。すなわち、｛ｂ0、ｂ1、．．．、ｂ15｝がＡＰ−ＡＩＣＨ上の伝送ビットであると、ＰＣＰＣＨアクセス・プリアンブリング・スクランブリング・コードＡＰＳＣ＃ｍの認証可否を示し、｛ｂ0、ｂ1、．．．、ｂ15｝がＣＤ−ＡＩＣＨ上の伝送ビットであると、ＰＣＰＣＨ  ＣＤアクセス・プリアンブリング・スクランブリング・コードＣＤ−ＡＰＳＣ＃ｍの認証可否を示す。このとき、ＡＩ部分を示す各ビット｛ａ0、ａ1、．．．、ａ15｝は、次式（３１）のように表現することができる。
【数１９】
0004669144.tif 000016
【０２１１】
ここで、ＡＩsは、使用されたシグネーチャＡＰ＃ｓに対するＡＩを意味して｛＋１、−１、０｝中何れか一つの値を有する。また、ｃs、jは図３０に定義された表のようである。
また、ＲＩ部分を示す各ビット｛ｂ0、ｂ1、．．．、ｂ15｝は、次式（３２）のように表現することができる。
【数２０】
0004669144.tif 000017
【０２１２】
ここで、ＲＩmは、使用されたＰＣＰＣＨプリアンブリング・スクランブリング・コード（すなわち、ＡＰＳＣ＃ｍ、ＣＤ−ＡＰＳＣ＃ｍ）に対する認証を意味して｛＋１、−１、０｝中何れか一つの値を有する。また、ｃm、jは、図３１に定義された表の通りである。
【０２１３】
図３１において、ｍ＝４〜１５は、今後ほかの用途で利用することのできる係数である。
ＡＩＣＨを実際に伝送する場合、ＡＩ部分を示す各ビット｛ａ0、ａ1、．．．、ａ15｝は、Ｉ／Ｑチャンネル中何れか１つのチャンネルに伝送され、ＲＩ部分を示す各ビット｛ｂ0、ｂ1、．．．、ｂ15｝は、Ｉ／Ｑチャンネル中ほかの一つのチャンネルに伝送される。
【０２１４】
このとき、Ｉ／Ｑチャンネルに対して電力比率を調整することができる。すなわち、ＲＩ部分を、例えば、ｍ＝０〜３だけを利用する場合、多量のデータが包含されているＡＩ部分を伝送するチャンネルが、少量のデータが包含されているＲＩ部分を伝送するチャンネルよりも相対的に多くの電力を利用するようにすることができる。
【０２１５】
なお、チャンネル割当方法をＡＰやＣＤのために何れか片方だけに適用する実施形態も可能である。
【０２１６】
【発明の効果】
以上説明したように、本発明に係る移動通信システムの物理的チャンネル割当方法は、３ＧＰＰシステムにおいて、端末機が基地局にデータを伝送するために使用される各アップリンクチャンネル中、ＲＡＣＨが余分のスクランブリング・コードを有する場合、効率的なチャンネル割当を可能にし、よって、ＲＡＣＨの資源を充分に活用し得るという効果がある。
【０２１７】
また、本発明に係る移動通信システムの物理的チャンネル割当方法は、端末機が基地局にデータを伝送するときに使用されるアップリンクチャンネル中、ＲＡＣＨが余分のアップリンクスクランブリング・コードを有する場合、１６個のシグネーチャ及び１つのセル当たりに複数個のＰＲＡＣＨプリアンブリング・スクランブリング・コードを割当てた場合に適合したＡＩＣＨ構造を提供することによって、ＡＩＣＨを経済的に使用し得るという効果がある。
【０２１８】
さらに、本発明に係る移動通信システムの物理的チャンネル割当方法は、移動通信システムのアップリンク共有チャンネルが再使用因子を考慮する必要がある場合に適用されて効率的な物理的チャンネル割当を可能にすることによって、該当共有チャンネルの資源活用度を向上し得るという効果がある。
【０２１９】
さらに、本発明に係る移動通信システムの物理的チャンネル割当方法は、端末機が基地局にデータを伝送するために使用されるアップリンクチャンネル中、ＣＰＣＨが余分のアップリンクスクランブリング・コードを有する場合、効率的な物理的チャンネル割当を可能にし、よって、ＣＰＣＨの資源活用度を向上し得るという効果がある。
【０２２０】
さらに、本発明に係る移動通信システムの物理的チャンネル割当方法は、端末機が基地局にデータを伝送するために使用されるアップリンクチャンネル中、ＣＰＣＨが余分のアップリンクスクランブリング・コードを有する場合、ＡＩＣＨを効率的且つ経済的に使用し得るという効果がある。
【０２２１】
さらに、本発明に係る移動通信システムの物理的チャンネル割当方法は、移動通信システムのアップリンク共有チャンネルが再使用因子を考慮する必要がある場合に適用されて效率的に物理的チャンネルを割り当てることを可能にして、該当共有チャンネルの資源活用度を向上し得るという効果がある。
【０２２２】
さらに、本発明に係る移動通信システムの物理的チャンネル割当方法は、端末機が基地局にデータを伝送するために使用されるアップリンクチャンネル中、ＣＰＣＨのための再使用因子が考慮された効率的な物理的チャンネル割当を行うために補助チャンネルを必要とする場合、そのための効率的且つ経済的なチャンネル具現ができるという効果がある。
【０２２３】
さらに、本発明に係る移動通信システムの物理的チャンネル割当方法は、移動通信システムのアップリンク共有チャンネルが再使用因子を考慮する必要がある場合に適用されて効率的な物理的チャンネル割当が可能になり、よって、該当共有チャンネルの資源活用度を向上し得るという効果がある。
【図面の簡単な説明】
【図１】  本発明実施形態に係る移動通信システムの通信手順を示したフローチャートである。
【図２】  本発明実施形態によりチャンネルコードに属したサブチャンネルと、それに該当するアクセス・スロットに対する定義を示したテーブルであって、スロットの定義がサブチャンネルで全て同様な場合を示している。
【図３ａ】  本発明実施形態によりチャンネルコードに属したサブチャンネルと、それに該当するアクセス・スロットに対する定義を示したテーブルであって、スロットに対する定義がサブチャンネルでそれぞれ異なる１例を示している。
【図３ｂ】  本発明実施形態によりチャンネルコードに属したサブチャンネルと、それに該当するアクセス・スロットに対する定義を示したテーブルであって、スロットに対する定義がサブチャンネルでそれぞれ異なる１例を示している。
【図３ｃ】  本発明実施形態によりチャンネルコードに属したサブチャンネルと、それに該当するアクセス・スロットに対する定義を示したテーブルであって、スロットに対する定義がサブチャンネルでそれぞれ異なる１例を示している。
【図３ｄ】  本発明実施形態によりチャンネルコードに属したサブチャンネルと、それに該当するアクセス・スロットに対する定義を示したテーブルであって、スロットに対する定義がサブチャンネルでそれぞれ異なる１例を示している。
【図４ａ】  本発明実施形態によりチャンネルコードに属したサブチャンネルと、それに該当するアクセス・スロットに対する定義を示したテーブルであって、スロットに対する定義がサブチャンネルでそれぞれ異なる他の１例を示している。
【図４ｂ】  本発明実施形態によりチャンネルコードに属したサブチャンネルと、それに該当するアクセス・スロットに対する定義を示したテーブルであって、スロットに対する定義がサブチャンネルでそれぞれ異なる他の１例を示している。
【図４ｃ】  本発明実施形態によりチャンネルコードに属したサブチャンネルと、それに該当するアクセス・スロットに対する定義を示したテーブルであって、スロットに対する定義がサブチャンネルでそれぞれ異なる他の１例を示している。
【図４ｄ】  本発明実施形態によりチャンネルコードに属したサブチャンネルと、それに該当するアクセス・スロットに対する定義を示したテーブルであって、スロットに対する定義がサブチャンネルでそれぞれ異なる他の１例を示している。
【図５】本発明実施形態によりＡＩＣＨ＃ｍを伝送するシステムを示した構成図である。
【図６】  本発明実施形態によりＡＩＣＨ＃ｍを伝送するためのＯＶＳＦコードツリーを示した構成図である。
【図７】  本発明実施形態によりＡＩＣＨ＃ｍを伝送するためのＯＶＳＦコードツリーを示した構成図である。
【図８】  本発明実施形態に係るＡＩＣＨ＃ｍの構造を示した構成図である。
【図９】  本発明実施形態に係るＡＩＣＨ＃ｍで使用されるシグネーチャパターンを示したテーブルである。
【図１０】  本発明実施形態に係る移動通信システムの通信手順を示したフローチャートである。
【図１１】  本発明実施形態に係るＲＲＩＣＨ＃ｍの構造を示した構成図である。
【図１２】  本発明実施形態に係るＲＲＩＣＨ＃ｍの構造を示した構成図である。
【図１３】  本発明実施形態に係るＲＲＩＣＨ＃ｍのＲＩシグネーチャパターンを示したテーブルである。
【図１４】  本発明実施形態に係るＲＲＩＣＨ＃ｍのＲＩシグネーチャパターンを示したテーブルである。
【図１５】  本発明実施形態に係るＲＲＩＣＨ＃ｍのＲＩシグネーチャパターンを示したテーブルである。
【図１６】  本発明実施形態によりＡＩＣＨ伝送を行うためのシグネーチャパターンを示したテーブルである。
【図１７】  本発明実施形態に係るＡＩＣＨの構造を示した構成図である。
【図１８】  本発明実施形態に係るＡＩＣＨのＡＩ及びＲＩ部分のためのシグネーチャパターンを示したテーブルである。
【図１９】  本発明実施形態に係る移動通信システムの通信手順を示したフローチャートである。
【図２０】  本発明実施形態によりＡＰ−ＡＩＣＨ＃ｍを伝送するシステムを示した構成図である。
【図２１】  本発明実施形態によりＣＤ−ＡＩＣＨ＃ｍを伝送するシステムを示した構成図である。
【図２２】  本発明実施形態によりＡＰ−ＡＩＣＨ＃ｍ及びＣＤ−ＡＩＣＨ＃ｍに対してＯＶＳＦコードを割り当てるためのツリー構造を示した構成図である。
【図２３】  本発明実施形態によりＡＰ−ＡＩＣＨ＃ｍ及びＣＤ−ＡＩＣＨ＃ｍに対してＯＶＳＦコードを割り当てるためのツリー構造を示した構成図である。
【図２４】  本発明実施形態に係るＡＰ−ＡＩＣＨ＃ｍ及びＣＤ−ＡＩＣＨ＃ｍの構造を示した構成図である。
【図２５】  本発明実施形態に係るＡＰ−ＡＩＣＨ＃ｍ及びＣＤ−ＡＩＣＨ＃ｍで使用されるシグネーチャパターンを示したテーブルである。
【図２６】  本発明実施形態に係る移動通信システムの通信手順を示したフローチャートである。
【図２７】  本発明実施形態に係るＣＲＩＣＨのＲＩシグネーチャパターンを示したテーブルである。
【図２８】  本発明実施形態に係るＣＲＩＣＨのＲＩシグネーチャパターンを示したテーブルである。
【図２９】  本発明実施形態に係るＡＩＣＨの構造を示した構成図である。
【図３０】  本発明実施形態に係るＡＩＣＨのＡＩ部分のシグネーチャパターンを示したテーブルである。
【図３１】  本発明実施形態に係るＡＩＣＨのＲＩ部分のシグネーチャパターンを示したテーブルである。
【図３２】  従来技術によるＲＡＣＨチャンネル割当てのためのコードツリーを示した構成図である。
【図３３】  従来技術によるＯＶＳＦコードツリーを示した構成図である。
【図３４】  従来技術によるＰＲＡＣＨのメッセージ部分のＯＶＳＦコード割当方法を説明するためのツリー構造を示した構成図である。
【図３５】  従来技術による移動通信システムの通信手順を示したフローチャートである。
【図３６】  従来技術によるＲＡＣＨの構造を示した構成図である。
【図３７】  従来技術によるアクセス・スロットが定義されたＲＡＣＨサブチャンネルを示したテーブルである。
【図３８】  従来技術により、端末機でＰＲＡＣＨのメッセージ部分の拡散を行うシステムを示した構成図である。
【図３９】  従来技術によるＰＣＰＣＨのメッセージ部分のためのＯＶＳＦコードツリーを示した構成図である。
【図４０】  従来技術による移動通信システムの通信方法を示した構成図である。
【図４１】  従来技術により、端末機でＰＣＰＣＨのメッセージ部分の拡散を行うシステムを示した構成図である。
【図１】
0004669144.tif 000022
【図２】
0004669144.tif 000023
【図３ａ】
0004669144.tif 000024
【図３ｂ】
0004669144.tif 000025
【図３ｃ】
0004669144.tif 000026
【図３ｄ】
0004669144.tif 000027
【図４ａ】
0004669144.tif 000028
【図４ｂ】
0004669144.tif 000029
【図４ｃ】
0004669144.tif 000030
【図４ｄ】
0004669144.tif 000031
【図５】
0004669144.tif 000032
【図６】
0004669144.tif 000033
【図７】
0004669144.tif 000034
【図８】
0004669144.tif 000035
【図９】
0004669144.tif 000036
【図１０】
0004669144.tif 000037
【図１１】
0004669144.tif 000038
【図１２】
0004669144.tif 000039
【図１３】
0004669144.tif 000040
【図１４】
0004669144.tif 000041
【図１５】
0004669144.tif 000042
【図１６】
0004669144.tif 000043
【図１７】
0004669144.tif 000044
【図１８】
0004669144.tif 000045
【図１９】
0004669144.tif 000046
【図２０】
0004669144.tif 000047
【図２１】
0004669144.tif 000048
【図２２】
0004669144.tif 000049
【図２３】
0004669144.tif 000050
【図２４】
0004669144.tif 000051
【図２５】
0004669144.tif 000052
【図２６】
0004669144.tif 000053
【図２７】
0004669144.tif 000054
【図２８】
0004669144.tif 000055
【図２９】
0004669144.tif 000056
【図３０】
0004669144.tif 000057
【図３１】
0004669144.tif 000058
【図３２】
0004669144.tif 000059
【図３３】
0004669144.tif 000060
【図３４】
0004669144.tif 000061
【図３５】
0004669144.tif 000062
【図３６】
0004669144.tif 000063
【図３７】
0004669144.tif 000064
【図３８】
0004669144.tif 000065
【図３９】
0004669144.tif 000066
【図４０】
0004669144.tif 000067
【図４１】
0004669144.tif 000068